(57)【要約】【課題】ガスエンジンの排熱を利用して利便性とエネルギー効率とをさらに高めた空気調和システムを提供する。【解決手段】吸着式調湿装置１と圧縮式ヒートポンプ装置５とを有し、室内Ｒの調湿と調温とを行う空気調和システムであって、圧縮式ヒートポンプ装置５は、冷媒圧縮部Ｃと凝縮部ＣＯと蒸発部ＥＶとを有し、冷媒圧縮部Ｃにより圧縮された冷媒を、吸着式調湿装置１に供給し、かつ凝縮部ＣＯと蒸発部ＥＶとに通流させて室内Ｒの調温を行い、冷媒圧縮部Ｃは、ガスエンジン５０ａにより駆動される第１冷媒圧縮機６０ａと、モータ５０ｂにより駆動される第２冷媒圧縮機６０ｂとを有し、ガスエンジン５０ａの排熱を蓄えて冷媒に与える蓄熱部５８を有する【選択図】図１
2017009174.tif 000002
【特許請求の範囲】
【請求項１】
吸着式調湿装置と圧縮式ヒートポンプ装置とを有し、室内の調湿と調温とを行う空気調和システムであって、
前記吸着式調湿装置は、前記圧縮式ヒートポンプ装置から供給された冷媒を用いて吸着材の加熱および冷却を行いつつ、空気を前記吸着材に接触させ、前記吸着材に接触した空気を前記室内に供給して調湿を行い、
前記圧縮式ヒートポンプ装置は、冷媒圧縮部と凝縮部と蒸発部とを有し、前記冷媒圧縮部により圧縮された冷媒を、前記吸着式調湿装置に供給し、かつ前記凝縮部と前記蒸発部とに通流させて前記室内の調温を行い、
前記冷媒圧縮部は、ガスエンジンにより駆動される第１冷媒圧縮機と、モータにより駆動される第２冷媒圧縮機とを有し、
前記ガスエンジンの排熱を蓄えて冷媒に与える蓄熱部をさらに有する空気調和システム。
【請求項２】
前記蓄熱部は、前記圧縮式ヒートポンプ装置から前記吸着式調湿装置へ供給される冷媒に、蓄えた熱を与えて加熱する請求項１に記載の空気調和システム。
【請求項３】
前記蓄熱部は、前記凝縮部と前記蒸発部とを通流して前記冷媒圧縮部へ戻る冷媒に、蓄えた熱を与えて加熱する請求項１または２に記載の空気調和システム。
【請求項４】
前記蓄熱部は、前記ガスエンジンを運転していない期間に、蓄えた熱を冷媒に与えて加熱する請求項１〜３のいずれか一項に記載の空気調和システム。
【請求項５】
前記蓄熱部は、前記空気調和システムを起動する際に、蓄えた熱を冷媒に与えて加熱する請求項１〜４のいずれか一項に記載の空気調和システム。
【請求項６】
前記蓄熱部は、外気温が所定の閾値よりも低い場合に、蓄えた熱を冷媒に与えて加熱する請求項１〜５のいずれか一項に記載の空気調和システム。
【請求項７】
前記蓄熱部は、前記圧縮式ヒートポンプ装置が前記室内の暖房を行う際に、蓄えた熱を冷媒に与えて加熱する請求項１〜６のいずれか一項に記載の空気調和システム。
【請求項８】
前記蓄熱部は、蓄えている熱の量が所定の閾値よりも少ない場合に、前記ガスエンジンの排熱を蓄える請求項１〜７のいずれか一項に記載の空気調和システム。
【請求項９】
前記蓄熱部は、所定の時間の経過後に前記ガスエンジンを停止することが予定されている場合に、前記ガスエンジンの排熱を蓄える請求項１〜８のいずれか一項に記載の空気調和システム。
【請求項１０】
前記吸着式調湿装置は、
加熱対象空間から取り込んだ空気を加熱対象空間とは別の冷却対象空間へ供給する除湿通路と、
前記冷却対象空間から取り込んだ空気を前記加熱対象空間へ供給する加湿通路とを有し、
前記除湿通路において空気を空気冷却部による冷却を伴って再生処理後の吸着材に通過させる吸湿処理を行うと共に、
前記加湿通路において空気を空気加熱部による加熱を伴って吸湿処理後の吸着材に通過させる再生処理を行い、
前記圧縮式ヒートポンプ装置は、
前記冷媒圧縮部で圧縮された冷媒を第１膨張弁に導く第１高圧側冷媒管路に、当該第１高圧側冷媒管路を通流する冷媒と前記加熱対象空間の空気との熱交換を行う前記凝縮部を配置すると共に、
前記第１膨張弁で膨張された冷媒を前記冷媒圧縮部に導く第１低圧側冷媒管路に、当該第１低圧側冷媒管路を通流する冷媒と前記冷却対象空間の空気との熱交換を行う前記蒸発部を配置してなり、
前記冷媒圧縮部で圧縮した冷媒の一部を取り出して前記空気加熱部で凝縮させた後に前記第１膨張弁とは別の第２膨張弁に導く第２高圧側冷媒管路と、
前記第２膨張弁で膨張した冷媒を前記冷媒圧縮部に導く第２低圧側冷媒管路とを有すると共に、
前記蓄熱部に蓄えられた熱を用いて前記第２高圧側冷媒管路に流入する冷媒を加熱する第１冷媒加熱部を備え、
前記空気冷却部が、前記第２低圧側冷媒管路に配置されて当該管路を通流する冷媒と前記除湿通路を通流する空気との熱交換を行う熱交換器で構成され、
前記空気加熱部が、前記第２高圧側冷媒管路に配置されて当該管路を通流する冷媒と前記加湿通路を通流する空気との熱交換を行う熱交換器で構成されており、
前記加熱対象空間及び前記冷却対象空間の一方を室内として他方を室外として当該室内の調温及び調湿を行う請求項１〜９のいずれか一項に記載の空気調和システム。
【請求項１１】
前記空気冷却部及び前記空気加熱部として機能する熱交換器として、
前記吸着材を空気側表面に設けた第１吸着熱交換器及び第２吸着熱交換器を備え、
前記第１吸着熱交換器を前記空気冷却部として機能させた状態で前記第１吸着熱交換器が配置された第１通路を前記除湿通路とすると共に、
前記第２吸着熱交換器を前記空気加熱部として機能させた状態で前記第２吸着熱交換器が配置された第２通路を前記加湿通路とする第１状態と、
前記第１吸着熱交換器を前記空気加熱部として機能させた状態で前記第１通路を前記加湿通路とすると共に、
前記第２吸着熱交換器を前記空気冷却部として機能させた状態で前記第２通路を前記除湿通路とする第２状態との間で、
前記吸着式調湿装置における冷媒と空気との通流状態を所定時間間隔で切り替えて、前記吸着材に対する前記吸湿処理と前記再生処理とを行う吸湿再生切替手段を備えた請求項１０に記載の空気調和システム。
【請求項１２】
冷房運転と暖房運転とを切り替える冷暖房切替手段を備え、
前記冷暖房切替手段が、冷房運転時においては、室外を前記加熱対象空間とすると共に室内を前記冷却対象空間とし、暖房運転時においては、室内を前記加熱対象空間とすると共に室外を前記冷却対象空間とするように、前記吸着式調湿装置における冷媒と空気の通流状態並びに前記圧縮式ヒートポンプ装置における冷媒の通流状態を切り替える請求項１０または１１に記載の空気調和システム。
【請求項１３】
前記吸着式調湿装置と前記圧縮式ヒートポンプ装置を有し、当該圧縮式ヒートポンプ装置の前記冷媒圧縮部が、ガスエンジンにより駆動される第１冷媒圧縮機を有し、第１室内の調温および調湿を行う第１システムと、
前記吸着式調湿装置と前記圧縮式ヒートポンプ装置を有し、当該圧縮式ヒートポンプ装置の前記冷媒圧縮部が、モータにより駆動される第２冷媒圧縮機を有し、第２室内の調温および調湿を行う第２システムとを有し、
前記蓄熱部は前記第１システムの有する前記ガスエンジンの排熱を蓄えて、前記第２システムの冷媒に与える請求項１〜１２のいずれか一項に記載の空気調和システム。
【発明の詳細な説明】
【技術分野】
【０００１】
本発明は、吸着式調湿装置と圧縮式ヒートポンプ装置とを有し、室内の調湿と調温とを行う空気調和システムに関する。
【０００２】
従来、室内の主に調温を行う空気調和システムとして、圧縮式ヒートポンプ装置を備えたものが知られている。特許文献１に記載されたハイブリッド空気調和装置は、冷媒を圧縮する圧縮機として、電動モータで駆動される圧縮機とガスエンジンで駆動される圧縮機の両方を備えている。これにより、消費電力を制限された状況下であっても、ガスエンジンで駆動される圧縮機を用いて調温を行うことができるとされている。また、装置の起動時にガスエンジンの排熱を利用して冷媒を短時間のうちに暖めることにより、外気温の低い条件下でも、短時間のうちに快適な空調制御を実現できるとされている。
【先行技術文献】
【特許文献】
【０００３】
【特許文献１】特開２００９−１５０６３１号公報
【発明の概要】
【発明が解決しようとする課題】
【０００４】
しかし上述したハイブリッド空気調和装置においても、以下のような問題がある。第一に、装置の起動時においては、ガスエンジンの温度が十分に上昇する前は排熱を利用することができない。第二に、電気料金が割安な深夜等に電動モータのみで運転する場合には、ガスエンジンが運転されないため、排熱を利用することができない。第三に、冷房運転を行う場合には冷媒を加熱する必要がないため、排熱を利用することができない。すなわち上述の装置においても、排熱の利用をさらに推進する余地が残されている。
【０００５】
本発明はかかる点に注目してなされたものであり、その目的は、ガスエンジンの排熱を利用して利便性とエネルギー効率とをさらに高めた空気調和システムを提供することにある。
【課題を解決するための手段】
【０００６】
上記目的を達成するための本発明に係る空気調和システムの特徴構成は、吸着式調湿装置と圧縮式ヒートポンプ装置とを有し、室内の調湿と調温とを行う空気調和システムであって、
前記吸着式調湿装置は、前記圧縮式ヒートポンプ装置から供給された冷媒を用いて吸着材の加熱および冷却を行いつつ、空気を前記吸着材に接触させ、前記吸着材に接触した空気を前記室内に供給して調湿を行い、
前記圧縮式ヒートポンプ装置は、冷媒圧縮部と凝縮部と蒸発部とを有し、前記冷媒圧縮部により圧縮された冷媒を、前記吸着式調湿装置に供給し、かつ前記凝縮部と前記蒸発部とに通流させて前記室内の調温を行い、
前記冷媒圧縮部は、ガスエンジンにより駆動される第１冷媒圧縮機と、モータにより駆動される第２冷媒圧縮機とを有し、
前記ガスエンジンの排熱を蓄えて冷媒に与える蓄熱部を有する点にある。
【０００７】
上記の特徴構成によれば、吸着式調湿装置と圧縮式ヒートポンプ装置とを有する空気調和システムが、ガスエンジンにより駆動される第１冷媒圧縮機と、モータにより駆動される第２冷媒圧縮機とを有し、ガスエンジンの排熱を蓄えて冷媒に与える蓄熱部を有するので、上述した３つの問題を解消することができる。すなわち、空気調和システムの起動時に蓄熱部に蓄えられた熱を用いて冷媒を加熱すれば、ガスエンジンの温度上昇を待たずに快適な空調制御を実現できる。また、モータにより駆動される第２冷媒圧縮機のみを用いて運転する場合でも、蓄熱部に蓄えた熱を利用して空気調和システムを運転することができる。さらに冷房運転を行う場合でも、吸着式調湿装置に供給される冷媒に、蓄熱部に蓄えた熱を与えることで、排熱を活用することができる。すなわち上述の特徴構成によれば、ガスエンジンの排熱を利用して空気調和システムの利便性とエネルギー効率とをさらに高めることができる。
【０００８】
本発明に係る空気調和システムの別の特徴構成は、前記蓄熱部は、前記圧縮式ヒートポンプ装置から前記吸着式調湿装置へ供給される冷媒に、蓄えた熱を与えて加熱する点にある。
【０００９】
上記の特徴構成によれば、蓄熱部は、圧縮式ヒートポンプ装置から吸着式調湿装置へ供給される冷媒に、蓄えた熱を与えて加熱するから、冷房運転を行う場合でもガスエンジンの排熱を有効活用でき、空気調和システムのエネルギー効率をさらに高めることができる。
【００１０】
本発明に係る空気調和システムの別の特徴構成は、前記蓄熱部は、前記凝縮部と前記蒸発部とを通流して前記冷媒圧縮部へ戻る冷媒に、蓄えた熱を与えて加熱する点にある。
【００１１】
上記の特徴構成によれば、蓄熱部は、凝縮部と蒸発部とを通流して冷媒圧縮部へ戻る冷媒に、蓄えた熱を与えて加熱するから、蓄えたガスエンジンの排熱を室内の調温に利用することができ、空気調和システムの利便性とエネルギー効率とをさらに高めることができる。
【００１２】
本発明に係る空気調和システムの別の特徴構成は、前記蓄熱部は、前記ガスエンジンを運転していない期間に、蓄えた熱を冷媒に与えて加熱する点にある。
【００１３】
上記の特徴構成によれば、蓄熱部は、ガスエンジンを運転していない期間に、蓄えた熱を冷媒に与えて加熱するから、本来はガスエンジンの排熱を利用できない期間に排熱を活用でき、空気調和システムの利便性とエネルギー効率とをさらに高めることができる。
【００１４】
本発明に係る空気調和システムの別の特徴構成は、前記蓄熱部は、前記空気調和システムを起動する際に、蓄えた熱を冷媒に与えて加熱する点にある。
【００１５】
上記の特徴構成によれば、蓄熱部は、空気調和システムを起動する際に、蓄えた熱を冷媒に与えて加熱するから、ガスエンジンの温度が十分に上昇する前の期間や、ガスエンジンを運転せずに起動する場合であっても、冷媒を加熱することができ、快適な空調制御を早期に実現できる。すなわち、空気調和システムの利便性をさらに高めることができる。
【００１６】
本発明に係る空気調和システムの別の特徴構成は、前記蓄熱部は、外気温が所定の閾値よりも低い場合に、蓄えた熱を冷媒に与えて加熱する点にある。
【００１７】
外気温が低い場合、冷媒の温度も低くなって起動に時間を要するし、運転中も多くのエネルギーを要する。上記の特徴構成によれば、蓄熱部は、外気温が所定の閾値よりも低い場合に、蓄えた熱を冷媒に与えて加熱するから、圧縮式ヒートポンプ装置での暖房運転の補助による効率化と、空気調和システムの起動迅速化とを実現できる。すなわち、空気調和システムの利便性とエネルギー効率とをさらに高めることができる。
【００１８】
本発明に係る空気調和システムの別の特徴構成は、前記蓄熱部は、前記圧縮式ヒートポンプ装置が前記室内の暖房を行う際に、蓄えた熱を冷媒に与えて加熱する点にある。
【００１９】
上記の特徴構成によれば、蓄熱部は、圧縮式ヒートポンプ装置が室内の暖房を行う際に、蓄えた熱を冷媒に与えて加熱するから、冷媒圧縮部で消費されるエネルギーを削減できる。すなわち、空気調和システムのエネルギー効率をさらに高めることができる。
【００２０】
本発明に係る空気調和システムの別の特徴構成は、前記蓄熱部は、蓄えている熱の量が所定の閾値よりも少ない場合に、前記ガスエンジンの排熱を蓄える点にある。
【００２１】
上記の特徴構成によれば、蓄熱部は、蓄えている熱の量が所定の閾値よりも少ない場合に、ガスエンジンの排熱を蓄えるから、蓄熱部の熱が不足して冷媒を加熱できない事態を回避して、空気調和システムの効率を高く保つことができる。すなわち、空気調和システムのエネルギー効率をさらに高めることができる。
【００２２】
本発明に係る空気調和システムの別の特徴構成は、前記蓄熱部は、所定の時間の経過後に前記ガスエンジンを停止することが予定されている場合に、前記ガスエンジンの排熱を蓄える点にある。
【００２３】
上記の特徴構成によれば、蓄熱部は、所定の時間の経過後にガスエンジンを停止することが予定されている場合に、ガスエンジンの排熱を蓄えるから、ガスエンジンが停止する際には排熱が蓄熱部に蓄熱されることになる。よって、蓄熱部の熱が不足して冷媒を加熱できない事態を回避して、空気調和システムの効率を高く保つことができる。すなわち、空気調和システムのエネルギー効率をさらに高めることができる。
【００２４】
本発明に係る空気調和システムの別の特徴構成は、前記吸着式調湿装置は、
加熱対象空間から取り込んだ空気を加熱対象空間とは別の冷却対象空間へ供給する除湿通路と、
前記冷却対象空間から取り込んだ空気を前記加熱対象空間へ供給する加湿通路とを有し、
前記除湿通路において空気を空気冷却部による冷却を伴って再生処理後の吸着材に通過させる吸湿処理を行うと共に、
前記加湿通路において空気を空気加熱部による加熱を伴って吸湿処理後の吸着材に通過させる再生処理を行い、
前記圧縮式ヒートポンプ装置は、
前記冷媒圧縮部で圧縮された冷媒を第１膨張弁に導く第１高圧側冷媒管路に、当該第１高圧側冷媒管路を通流する冷媒と前記加熱対象空間の空気との熱交換を行う前記凝縮部を配置すると共に、
前記第１膨張弁で膨張された冷媒を前記冷媒圧縮部に導く第１低圧側冷媒管路に、当該第１低圧側冷媒管路を通流する冷媒と前記冷却対象空間の空気との熱交換を行う前記蒸発部を配置してなり、
前記冷媒圧縮部で圧縮した冷媒の一部を取り出して前記空気加熱部で凝縮させた後に前記第１膨張弁とは別の第２膨張弁に導く第２高圧側冷媒管路と、
前記第２膨張弁で膨張した冷媒を前記冷媒圧縮部に導く第２低圧側冷媒管路とを有すると共に、
前記蓄熱部に蓄えられた熱を用いて前記第２高圧側冷媒管路に流入する冷媒を加熱する第１冷媒加熱部を備え、
前記空気冷却部が、前記第２低圧側冷媒管路に配置されて当該管路を通流する冷媒と前記除湿通路を通流する空気との熱交換を行う熱交換器で構成され、
前記空気加熱部が、前記第２高圧側冷媒管路に配置されて当該管路を通流する冷媒と前記加湿通路を通流する空気との熱交換を行う熱交換器で構成されており、
前記加熱対象空間及び前記冷却対象空間の一方を室内として他方を室外として当該室内の調温及び調湿を行う点にある。
【００２５】
上記の特徴構成によれば、圧縮式ヒートポンプ装置に配置された冷媒圧縮部に対して、圧縮式ヒートポンプ装置において、凝縮部が配置された第１高圧側冷媒管路、第１膨張弁、及び、蒸発部が配置された第１低圧側冷媒管路からなる冷媒循環回路と、吸着式調湿装置において、空気加熱部を構成する熱交換器が配置された第２高圧側冷媒管路、第２膨張弁、及び、空気冷却部を構成する熱交換器が配置された第２低圧側冷媒管路からなる冷媒循環回路とが、並列で接続されることになる。
そして、圧縮式ヒートポンプ装置においては、冷媒圧縮部と圧縮式ヒートポンプ装置の冷媒循環回路との間で冷媒を循環させることで、蒸発部における冷媒の蒸発に伴う吸熱作用により冷却対象空間から冷媒へ熱を取り込み、一方、凝縮部における冷媒の凝縮に伴う放熱作用により冷媒から加熱対象空間へ熱を放出する形態で、室内の調温を行うことができる。
一方、吸着式調湿装置においては、冷媒圧縮部と吸着式調湿装置の冷媒循環回路との間で冷媒を循環させることで、空気冷却部を構成する熱交換器における冷媒の蒸発に伴う吸熱作用により除湿通路において吸着材を通過して吸湿処理を行う空気から冷媒へ熱を取り込み、一方、空気加熱部を構成する熱交換器における冷媒の凝縮に伴う放熱作用により冷媒から加湿通路において吸着材を通過して再生処理を行う空気へ熱を放出する形態で、室内の調湿を行うことができる。
そして、圧縮式ヒートポンプ装置と吸着式調湿装置の夫々の冷媒循環回路は、上記冷媒圧縮部に対して互いに並列的に接続されているので、夫々の冷媒循環回路における冷媒流量を各別に調整して、圧縮式ヒートポンプ装置の調温能力と吸着式調湿装置の調湿能力との夫々を各別に調整することができる。結果、圧縮式ヒートポンプ装置による調温能力を低めに設定し室内と室外との温度差を小さ目にして省エネ性を確保しながら、吸着式調湿装置による調湿能力を高めに設定し室内と室外との湿度差を大き目にして快適性を確保するなどのように、室内の温度と湿度とを快適性や省エネ性を配慮して各別に調整することができる。そして、そのような空気調和システムに対して利便性とエネルギー効率とをさらに高めることができる。
【００２６】
また、圧縮式ヒートポンプ装置側に上記冷媒加熱部を設け、その冷媒加熱部において第２高圧側冷媒管路に流入する冷媒を加熱するので、圧縮式ヒートポンプ装置と吸着式調湿装置との間には、冷媒を加熱するための熱を搬送するための温水配管を敷設する必要がなく、上記第２高圧側冷媒管路及び上記第２低圧側冷媒管路を構成する冷媒配管のみを敷設するだけでよい。
更に、このような冷媒加熱部を設けることで、第２高圧側冷媒管路から空気加熱部に一層高温の冷媒を供給し、加湿通路において吸着材を通過して再生処理を行う空気を空気加熱部により一層高温に加熱することができるので、吸着式調湿装置に高い調湿能力を発揮させることができる。
従って、上記の特徴構成により、吸着式調湿装置と圧縮式ヒートポンプ装置とを組み合わせて室内の調温及び調湿を行う空気調和システムにおいて、配管敷設作業を簡素化し、合理的で低廉な装置構成を採用しつつ、快適性や省エネ性を配慮して室内の温度と湿度とを各別に調整する技術を提供することができる。
【００２７】
本発明に係る空気調和システムの別の特徴構成は、前記空気冷却部及び前記空気加熱部として機能する熱交換器として、
前記吸着材を空気側表面に設けた第１吸着熱交換器及び第２吸着熱交換器を備え、
前記第１吸着熱交換器を前記空気冷却部として機能させた状態で前記第１吸着熱交換器が配置された第１通路を前記除湿通路とすると共に、
前記第２吸着熱交換器を前記空気加熱部として機能させた状態で前記第２吸着熱交換器が配置された第２通路を前記加湿通路とする第１状態と、
前記第１吸着熱交換器を前記空気加熱部として機能させた状態で前記第１通路を前記加湿通路とすると共に、
前記第２吸着熱交換器を前記空気冷却部として機能させた状態で前記第２通路を前記除湿通路とする第２状態との間で、
前記吸着式調湿装置における冷媒と空気との通流状態を所定時間間隔で切り替えて、前記吸着材に対する前記吸湿処理と前記再生処理とを行う吸湿再生切替手段を備えた点にある。
【００２８】
上記の特徴構成によれば、空気冷却部又は空気加熱部として機能する第１吸着熱交換器及び第２吸着熱交換器において、その空気側表面に設けた吸着材に直接冷熱又は温熱を伝達させることができ、吸着材に対する吸湿又は再生を十分に行って、吸着式調湿装置の調湿能力を向上させることができる。
即ち、上記第１状態と上記第２状態との間で吸着式調湿装置における冷媒と空気との通流状態を所定時間間隔で切り替えることで、第１吸着熱交換器及び第２吸着熱交換器の夫々が配置された第１通路及び第２通路の夫々が、除湿通路と加湿通路の間で切り替わり、同時に、第１吸着熱交換器及び第２吸着熱交換器の夫々が空気冷却部と空気加熱部の間で切り替わることになる。それにより第１吸着熱交換器及び第２吸着熱交換器の夫々の空気側表面に設けられた夫々の吸着材に対して、当該夫々の熱交換器の内部を通流する冷媒の蒸発又は凝縮により直接的に冷熱と温熱が交互に伝達されることになり、同時に、除湿通路の空気と加湿通路の空気とが交互に接触しながら通過することになるので、夫々の吸着材の吸湿と再生とが十分に行われることになる。
【００２９】
本発明に係る空気調和システムの別の特徴構成は、冷房運転と暖房運転とを切り替える冷暖房切替手段を備え、
前記冷暖房切替手段が、冷房運転時においては、室外を前記加熱対象空間とすると共に室内を前記冷却対象空間とし、暖房運転時においては、室内を前記加熱対象空間とすると共に室外を前記冷却対象空間とするように、前記吸着式調湿装置における冷媒と空気の通流状態並びに前記圧縮式ヒートポンプ装置における冷媒の通流状態を切り替える点にある。
【００３０】
上記の特徴構成によれば、上記冷暖房切替手段を備えることにより、室内に対して圧縮式ヒートポンプ装置による冷房と吸着式調湿装置による除湿とを行う冷房運転と、圧縮式ヒートポンプ装置による暖房と吸着式調湿装置による加湿とを行う暖房運転とを、切り替えて実行することができる。
即ち、圧縮式ヒートポンプ装置における冷房運転時では、冷却対象空間を室内とするべく、室内に設けられた室内機が蒸発部として機能し、一方、加熱対象空間を室外とするべく、室外に設けられた室外機が凝縮部として機能するように、冷媒の通流状態が切り替えられる。従って、蒸発部として機能する室内機における冷媒の蒸発に伴う吸熱作用により室内から冷媒へ熱を取り込み、凝縮部として機能する室外機における冷媒の凝縮に伴う放熱作用により冷媒から室外へ熱を放出する形態で、室内の冷房を行うことができる。
また、圧縮式ヒートポンプ装置における暖房運転時では、加熱対象空間を室内とするべく、室内に設けられた室内機が凝縮部として機能し、一方、冷却対象空間を室外とするべく、室外に設けられた室外機が蒸発部として機能するように、冷媒の通流状態が切り替えられる。従って、蒸発部として機能する室外機における冷媒の蒸発に伴う吸熱作用により室外から冷媒へ熱を取り込み、凝縮部として機能する室内機における冷媒の凝縮に伴う放熱作用により冷媒から室内へ熱を放出する形態で、室内の暖房を行うことができる。
【００３１】
本発明に係る空気調和システムの別の特徴構成は、前記吸着式調湿装置と前記圧縮式ヒートポンプ装置を有し、当該圧縮式ヒートポンプ装置の前記冷媒圧縮部が、ガスエンジンにより駆動される第１冷媒圧縮機を有し、第１室内の調温および調湿を行う第１システムと、
前記吸着式調湿装置と前記圧縮式ヒートポンプ装置を有し、当該圧縮式ヒートポンプ装置の前記冷媒圧縮部が、モータにより駆動される第２冷媒圧縮機を有し、第２室内の調温および調湿を行う第２システムとを有し、
前記蓄熱部は前記第１システムの有する前記ガスエンジンの排熱を蓄えて、前記第２システムの冷媒に与える点にある。
【００３２】
大規模な建築物等においては、ガスエンジンを用いた第１システムとモータを用いた第２システムとが混在して設置される場合がある。上記の特徴構成によれば、蓄熱部は第１システムの有するガスエンジンの排熱を蓄えて、第２システムの冷媒に与えるから、上述したような混在のある空気調和システムにおいてガスエンジンの排熱を有効利用することができる。例えば、消費電力の削減要求がなされている際に第２システムで優先的に空調を行う必要がある場合には、蓄熱部の熱を第２システムで活用してモータの消費電力を削減し、削減要求に応じることができる。このように、ガスエンジンの排熱を利用して空気調和システムの利便性とエネルギー効率とをさらに高めることができる。
【図面の簡単な説明】
【００３３】
【図１】空気調和システムにおける冷房運転時の第１状態を示す概略構成図
【図２】空気調和システムにおける冷房運転時の第２状態を示す概略構成図
【図３】空気調和システムにおける暖房運転時の第１状態を示す概略構成図
【図４】空気調和システムにおける暖房運転時の第２状態を示す概略構成図
【図５】空気調和システムが備える吸着熱交換器の（ａ）平面図及び（ｂ）斜視図
【図６】起動時制御の内容を示すフローチャート
【図７】運転時制御の内容を示すフローチャート
【図８】別実施形態に係る空気調和システムにおける冷房運転時の状態を示す概略構成図
【図９】第１システムの運転時制御の内容を示すフローチャート
【図１０】第２システムの運転時制御の内容を示すフローチャート
【発明を実施するための形態】
【００３４】
以下、空気調和システムについて、図１〜図５に基づいて説明する。先ず、空気調和システムの基本構成について説明する。
本実施形態の空気調和システムは、図１に示すように、室内Ｒの湿度調整（本願において「調湿」と呼ぶ場合がある。）を行うための吸着式調湿装置１と、室内Ｒの温度調整（本願において「調温」と呼ぶ場合がある。）を行うための圧縮式ヒートポンプ装置５と、コンピュータからなり所定のプログラムを実行することで各種手段として機能する制御装置９０を備える。
また、この空気調和システムは、制御装置９０が機能する冷暖房切替手段９２により、室内Ｒを冷却及び除湿する冷房運転（図１及び図２参照）と室内Ｒを加熱及び加湿する暖房運転（図３及び図４参照）とを択一的に実行可能に構成されている。
即ち、詳細については後述するが、冷房運転時においては、図１及び図２に示すように、室外Ｏが加熱対象空間ＨＡとされると共に、室内Ｒが冷却対象空間ＣＡとされて、冷却対象空間としての室内Ｒに対する圧縮式ヒートポンプ装置５による冷却と吸着式調湿装置１による除湿とが行われる。一方、暖房運転時においては、図３及び図４に示すように、室内Ｒが加熱対象空間ＨＡとされると共に室外Ｏが冷却対象空間ＣＡとされて、加熱対象空間としての室内Ｒに対する圧縮式ヒートポンプ装置５による加熱と吸着式調湿装置１による加湿とが行われることになる。
以下、吸着式調湿装置１及び圧縮式ヒートポンプ装置５の詳細構成について順に説明する。
【００３５】
〔吸着式調湿装置〕
図１〜図４に示す吸着式調湿装置１は、吸着材１０ａの吸湿と再生とを交互に行うことにより、室外Ｏ（例えば屋外）から室内Ｒに供給される給気ＳＡを除湿又は加湿する形態で室内Ｒの調湿を行う所謂デシカント空調装置として構成されている。
具体的に、かかる吸着式調湿装置１は、加熱対象空間ＨＡから取り込んだ空気を冷却対象空間ＣＡへ供給する除湿通路ＤＬと、冷却対象空間ＣＡから取り込んだ空気を加熱対象空間ＨＡへ供給する加湿通路ＷＬとを有する。
そして、除湿通路ＤＬにおいて空気を熱交換器で構成される空気冷却部ＣＥによる冷却を伴って再生処理後の吸着材１０ａに通過させる形態で当該吸着材１０ａの吸湿処理を行うと共に、加湿通路ＷＬにおいて空気を熱交換器で構成される空気加熱部ＨＥによる加熱を伴って吸湿処理後の吸着材１０ａに通過させる形態で当該吸着材１０ａの再生処理を行うように構成されている。尚、吸着材１０ａは、ゼオライト、シリカゲル、活性炭等の公知の通気性吸湿体が使用されており、水分が多い空気を、冷却を伴って通過させることにより、その空気から水分を吸着する吸湿処理が行われ、逆に、水分が少ない空気を、加熱を伴って通過させることにより、その空気に水分を脱離する再生処理が行われる。
【００３６】
この吸着式調湿装置１では、後述する圧縮式ヒートポンプ装置５に設けられた冷媒圧縮部Ｃに対して、空気加熱部ＨＥを構成する熱交換器が配置された第２高圧側冷媒管路ＨＰ２、第２膨張弁３０、及び、空気冷却部ＣＥを構成する熱交換器が配置された第２低圧側冷媒管路ＬＰ２からなる冷媒循環回路が形成されている。
そして、冷媒圧縮部Ｃと吸着式調湿装置１の冷媒循環回路との間で冷媒を循環させることで、空気冷却部ＣＥによる冷却を伴う吸湿処理と、空気加熱部ＨＥによる加熱を伴う再生処理とが行われる。
即ち、空気冷却部ＣＥでは、それを構成する熱交換器における冷媒の蒸発に伴う吸熱作用により、空気冷却部ＣＥが配置される除湿通路ＤＬにおいて吸着材１０ａを通過して吸湿処理を行う空気から冷媒へ熱を取り込む形態で、空気冷却部ＣＥによる冷却を伴う吸湿処理が行われる。一方、空気加熱部ＨＥでは、それを構成する熱交換器における冷媒の凝縮に伴う放熱作用により、冷媒から空気加熱部ＨＥが配置される加湿通路ＷＬにおいて吸着材１０ａを通過して再生処理を行う空気へ熱を放出する形態で、空気加熱部ＨＥによる加熱を伴う再生処理が行われる。
冷媒圧縮部Ｃは、ガスエンジン５０ａにより駆動される第１冷媒圧縮機６０ａと、モータ５０ｂにより駆動される第２冷媒圧縮機６０ｂとを有する。第１冷媒圧縮機６０ａの下流には逆止弁６９ａが、第２冷媒圧縮機６０ｂの下流には逆止弁６９ｂが配置されている。制御装置９０は、第１冷媒圧縮機６０ａ、第２冷媒圧縮機６０ｂ、逆止弁６９ａおよび逆止弁６９ｂを制御して、ガスエンジン５０ａにより駆動される第１冷媒圧縮機６０ａのみが冷媒を圧縮する状態と、モータ５０ｂにより駆動される第２冷媒圧縮機６０ｂのみが冷媒を圧縮する状態と、第１冷媒圧縮機６０ａと第２冷媒圧縮機６０ｂの双方が冷媒を圧縮する状態とを切り換える。以下、第１冷媒圧縮機６０ａと第２冷媒圧縮機６０ｂとを区別せず、冷媒圧縮部Ｃとして説明する場合がある。
【００３７】
詳細には、吸着式調湿装置１には、空気冷却部ＣＥ及び空気加熱部ＨＥとして機能する熱交換器としては、図５も参照して、吸着材１０ａを空気側表面に設けた第１吸着熱交換器１１及び第２吸着熱交換器１２が設けられている。
かかる吸着熱交換器１１，１２は、複数回折り返しながら蛇行し内部に冷媒が通流する伝熱管１０ｃと、その外表面において当該伝熱管１０ｃに対して垂直に配置された複数のフィン１０ｂとからなるフィンチューブ熱交換器で構成されており、更に、それら伝熱管１０ｃ及びフィン１０ｂの外表面には、吸着材１０ａが、所定の厚みでコーティングされている。
そして、このような吸着熱交換器１１，１２を利用することで、伝熱管１０ｃを通流する冷媒から吸着材１０ａに対して冷熱又は温熱が直接伝達させることができる。よって、複数のフィン１０ｂの隙間を通流する空気と外表面に設けられた吸着材１０ａとの間で水分の授受が良好に行われることになるので、吸着材１０ａに対する吸湿又は再生を十分に行って、吸着式調湿装置１の調湿能力を向上させることができる。
また、これら第１吸着熱交換器１１及び第２吸着熱交換器１２は、冷媒が通流する管路、即ち伝熱管１０ｃにおいて、冷媒を膨張させる第２膨張弁３０を介して直列的に接続されている。
【００３８】
室外Ｏに開口する室外空気通路２１及び排気通路２２と、室内Ｒに開口する室内空気通路２３及び給気通路２４が設けられており、排気通路２２には、空気を排気ＥＡとして室外Ｏ側に送出するファン２５が設けられ、給気通路２４には、空気を給気ＳＡとして室内Ｒ側に送出するファン２６が設けられている。
室外空気通路２１と給気通路２４とは、後述するダンパ１５の開閉により第１通路１３ｉ，１３ｏ及び第２通路１４ｉ，１４ｏの何れかを介して連通することになる。よって、室外Ｏから室外空気通路２１に取り込まれた室外空気ＯＡが給気ＳＡとして給気通路２４を介して室内Ｒに排出されることになる。
一方、室内空気通路２３と排気通路２２とについても、後述するダンパ１５の開閉により第１通路１３ｉ，１３ｏ及び第２通路１４ｉ，１４ｏの何れかを介して連通することになる。よって、室内Ｒから室内空気通路２３に取り込まれた室内空気ＲＡが排気ＥＡとして排気通路２２を介して室外Ｏに排出されることになる。
【００３９】
第１通路１３ｉ，１３ｏは、室外空気通路２１と室内空気通路２３との夫々に対して各別に接続された一対の第１入口通路１３ｉと、排気通路２２と給気通路２４との夫々に対して各別に接続された一対の第１出口通路１３ｏとを含む通路として構成されている。そして、これら一対の第１入口通路１３ｉと一対の第１出口通路１３ｏとの夫々に空気の通流を断続可能なダンパ１５が配置されており、また、これら一対の第１入口通路１３ｉと一対の第１出口通路１３ｏとの間に形成された空間に上述した第１吸着熱交換器１１が配置されている。
一方、第２通路１４ｉ，１４ｏは、室外空気通路２１と室内空気通路２３との夫々に対して各別に接続された一対の第２入口通路１４ｉと、排気通路２２と給気通路２４との夫々に対して各別に接続された一対の第２出口通路１４ｏとを含む通路として構成されている。そして、これら一対の第２入口通路１４ｉと一対の第２出口通路１４ｏとの夫々に空気の通流を断続可能なダンパ１５が配置されており、また、これら一対の第２入口通路１４ｉと一対の第２出口通路１４ｏとの間に形成された空間に上述した第２吸着熱交換器１２が配置されている。
【００４０】
そして、これら複数のダンパ１５の開閉状態を切り替えて、これら通路１３ｉ，１３ｏ，１４ｉ，１４ｏにおける空気の通流状態を断続させることで、第１吸着熱交換器１１及び第２吸着熱交換器１２に対する空気の通流状態を、図１及び図４に示す空気の通流状態と、図２及び図３に示す空気の通流状態との間で切り替えることができる。
即ち、図１及び図４に示す空気の通流状態では、室外Ｏから室外空気通路２１に取り込んだ室外空気ＯＡが第１通路１３ｉ，１３ｏに配置された第１吸着熱交換器１１を通過した後に給気ＳＡとして給気通路２４を介して室内Ｒに供給され、一方、室内Ｒから室内空気通路２３に取り込んだ室内空気ＲＡが第２吸着熱交換器１２を通過した後に排気ＥＡとして排気通路２２を介して室外Ｏに排出される。そして、冷房運転（図１）においては、この空気の通路が除湿通路ＤＬとなり、暖房運転（図４）においては、この空気の通路が加湿通路ＷＬとなる。
一方、図２及び図３に示す空気の通流状態では、室外Ｏから室外空気通路２１に取り込んだ室外空気ＯＡが第２通路１４ｉ，１４ｏに配置された第２吸着熱交換器１２を通過した後に給気ＳＡとして給気通路２４を介して室内Ｒに供給され、一方、室内Ｒから室内空気通路２３に取り込んだ室内空気ＲＡが第１吸着熱交換器１１を通過した後に排気ＥＡとして排気通路２２を介して室外Ｏに排出される。そして、冷房運転（図２）においては、この空気の通路が加湿通路ＷＬとなり、暖房運転（図３）においては、この空気の通路が除湿通路ＤＬとなる。
尚、冷房運転及び暖房運転において、図１及び図３に示すように、第１通路１３ｉ，１３ｏを除湿通路ＤＬとすると共に第２通路１４ｉ，１４ｏを加湿通路ＷＬとする状態を第１状態と呼び、図２及び図４に示すように、第１通路１３ｉ，１３ｏを加湿通路ＷＬとすると共に第２通路１４ｉ，１４ｏを除湿通路ＤＬとする状態を第２状態と呼ぶ。
【００４１】
第１吸着熱交換器１１の第２膨張弁３０とは反対側の端部に接続された冷媒管路３２と、第２吸着熱交換器１２の第２膨張弁３０とは反対側の端部に接続された冷媒管路３３とは、夫々、四方切換弁３１に接続されている。
また、この四方切換弁３１には、圧縮式ヒートポンプ装置５の冷媒圧縮部Ｃの二次側（吐出側）に接続された冷媒管路６７と、同冷媒圧縮部Ｃの一次側（吸込側）に接続された冷媒管路６８とが接続されている。
よって、この四方切換弁３１の状態を切り替えることで、第１吸着熱交換器１１及び第２吸着熱交換器１２に対する冷媒の通流状態を、図１及び図３に示す状態と、図２及び図４に示す状態との間で切り替えることができる。
【００４２】
即ち、図１及び図３に示す冷媒の通流状態（以下、この状態を「第１状態」と呼ぶ。）では、冷媒圧縮部Ｃで圧縮された冷媒が、冷媒管路６７、四方切換弁３１、冷媒管路３３、第２吸着熱交換器１２、第２膨張弁３０、第１吸着熱交換器１１、冷媒管路３２、四方切換弁３１、及び、冷媒管路６８を記載の順に通過した後に、冷媒圧縮部Ｃに戻される形態で、吸着式調湿装置１の冷媒循環路において冷媒が循環することになる。そして、この第１状態では、第２吸着熱交換器１２が配置された冷媒管路３３が、冷媒圧縮部Ｃで圧縮された高圧の冷媒が通流する第２高圧側冷媒管路ＨＰ２となり、第１吸着熱交換器１１が配置された冷媒管路３２が、第２膨張弁３０で膨張された低圧の冷媒が通流する第２低圧側冷媒管路ＬＰ２となる。従って、この第１状態では、第１吸着熱交換器１１が低圧環境下で冷媒液を蒸発させる蒸発器として機能して外表面を通流する空気を冷却する空気冷却部ＣＥとして機能し、一方、第２吸着熱交換器１２が高圧環境下で冷媒蒸気を凝縮させる凝縮器として機能して外表面を通流する空気を加熱する空気加熱部ＨＥとして機能する。即ち、第１吸着熱交換器１１では、第２膨張弁３０で膨張された低圧の冷媒液が蒸発することにより吸熱作用を奏し、外表面を通流する空気から冷媒へ熱を取り込む形態で、外表面を通流する空気を冷却することができる。一方、第２吸着熱交換器１２では、冷媒圧縮部Ｃで圧縮された高圧の冷媒蒸気が凝縮することにより放熱作用を奏し、外表面を通流する空気へ冷媒の熱を放出することから、外表面を通流する空気を加熱することができる。
【００４３】
一方、図２及び図４に示す冷媒の通流状態（以下、この状態を「第２状態」と呼ぶ。）では、冷媒圧縮部Ｃで圧縮された冷媒が、冷媒管路６７、四方切換弁３１、冷媒管路３２、第１吸着熱交換器１１、第２膨張弁３０、第２吸着熱交換器１２、冷媒管路３３、四方切換弁３１、及び、冷媒管路６８を記載の順に通過した後に、冷媒圧縮部Ｃに戻される形態で、吸着式調湿装置１の冷媒循環路において冷媒が循環することになる。そして、この第２状態では、第１吸着熱交換器１１が配置された冷媒管路３２が、冷媒圧縮部Ｃで圧縮された高圧の冷媒が通流する第２高圧側冷媒管路ＨＰ２となり、第２吸着熱交換器１２が配置された冷媒管路３３が、第２膨張弁３０で膨張された低圧の冷媒が通流する第２低圧側冷媒管路ＬＰ２となる。従って、この第２状態では、第１吸着熱交換器１１が高圧環境下で冷媒蒸気を凝縮させる凝縮器として機能して外表面を通流する空気を加熱する空気加熱部ＨＥとして機能し、一方、第２吸着熱交換器１２が低圧環境下で冷媒液を蒸発させる蒸発器として機能して外表面を通流する空気を冷却する空気冷却部ＣＥとして機能する。即ち、第１吸着熱交換器１１では、冷媒圧縮部Ｃで圧縮された高圧の冷媒蒸気が凝縮することにより放熱作用を奏し、外表面を通流する空気へ冷媒の熱を放出することから、外表面を通流する空気を加熱することができる。一方、第２吸着熱交換器１２では、第２膨張弁３０で膨張された低圧の冷媒液が蒸発することにより吸熱作用を奏し、外表面を通流する空気から冷媒へ熱を取り込む形態で、外表面を通流する空気を冷却することができる。
そして、制御装置９０が機能する吸湿再生切替手段９１は、吸着式調湿装置１における空気と冷媒との通流状態を第１状態と第２状態との間で所定時間間隔（例えば１０分間隔）で切り替えることで、除湿通路ＤＬにおいて空気を空気冷却部ＣＥによる冷却を伴って再生処理後の吸着材１０ａに通過させる吸湿処理を行うと共に、加湿通路ＷＬにおいて空気を空気加熱部ＨＥによる加熱を伴って吸湿処理後の吸着材１０ａに通過させる再生処理を行うように構成されている。
【００４４】
具体的に、吸湿再生切替手段９１は、吸着式調湿装置１における空気と冷媒との通流状態を、図１及び図３に示す第１状態に切り換えることで、第１吸着熱交換器１１を空気冷却部ＣＥとして機能させた状態で第１吸着熱交換器１１が配置された第１通路１３ｉ，１３ｏを除湿通路ＤＬとすると共に、第２吸着熱交換器１２を空気加熱部ＨＥとして機能させた状態で第２吸着熱交換器１２が配置された第２通路１４ｉ，１４ｏを加湿通路ＷＬとする。すると、除湿通路ＤＬでは、第１吸着熱交換器１１が空気冷却部ＣＥとして機能して、その外表面に設けられた吸着材１０ａ並びにその吸着材１０ａに接触しながら通過する空気（冷房運転時には室外空気ＯＡ及び給気ＳＡ，暖房運転時には室内空気ＲＡ及び排気ＥＡ）が冷却されるので、その空気に含まれる水分が吸着材１０ａに吸着されて、第１吸着熱交換器１１の吸着材１０ａの吸湿処理が行われることになる。一方、加湿通路ＷＬでは、第２吸着熱交換器１２が空気加熱部ＨＥとして機能して、その外表面に設けられた吸着材１０ａ並びにその吸着材１０ａに接触しながら通過する空気（冷房運転時には室内空気ＲＡ及び排気ＥＡ、暖房運転時には室外空気ＯＡ及び給気ＳＡ）が加熱されるので、その空気に対して吸着材１０ａの水分が放出されて、第２吸着熱交換器１２の吸着材１０ａの再生が行われることになる。
そして、制御装置９０が機能する冷暖房切替手段９２により、冷房運転時においては加熱対象空間ＨＡを室外Ｏとすると共に冷却対象空間ＣＡを室内Ｒとし、暖房運転時においては加熱対象空間ＨＡを室内Ｒとすると共に冷却対象空間ＣＡを室外Ｏとするように、吸着式調湿装置１における冷媒と空気の通流状態が切り替えられることから、室内Ｒに対して、図１に示す冷房運転時には、第１吸着熱交換器１１の吸着材１０ａにより水分が吸着された低湿の空気を給気ＳＡとして供給する形態で除湿が行われ、図３に示す暖房運転時には、第２吸着熱交換器１２の吸着材１０ａにより水分が放出された高湿の空気を給気ＳＡとして供給する形態で加湿が行われることになる。
一方、吸湿再生切替手段９１は、吸着式調湿装置１における空気と冷媒との通流状態を、図２及び図４に示す第２状態に切り換えることで、第１吸着熱交換器１１を空気加熱部ＨＥとして機能させた状態で第１吸着熱交換器１１が配置された第１通路１３ｉ，１３ｏを加湿通路ＷＬとすると共に、第２吸着熱交換器１２を空気冷却部ＣＥとして機能させた状態で第２吸着熱交換器１２が配置された第２通路１４ｉ，１４ｏを除湿通路ＤＬとする。すると、除湿通路ＤＬでは、第２吸着熱交換器１２が空気冷却部ＣＥとして機能して、その外表面に設けられた吸着材１０ａ並びにその吸着材１０ａに接触しながら通過する空気（冷房運転時には室外空気ＯＡ及び給気ＳＡ，暖房運転時には室内空気ＲＡ及び排気ＥＡ）が冷却されるので、その空気に含まれる水分が吸着材１０ａに吸着されて、第２吸着熱交換器１２の吸着材１０ａの吸湿処理が行われることになる。一方、加湿通路ＷＬでは、第１吸着熱交換器１１が空気加熱部ＨＥとして機能して、その外表面に設けられた吸着材１０ａ並びにその吸着材１０ａに接触しながら通過する空気（冷房運転時には室内空気ＲＡ及び排気ＥＡ、暖房運転時には室外空気ＯＡ及び給気ＳＡ）が加熱されるので、その空気に対して吸着材１０ａの水分が放出されて、第１吸着熱交換器１１の吸着材１０ａの再生が行われることになる。
そして、制御装置９０が機能する冷暖房切替手段９２により、冷房運転時においては加熱対象空間ＨＡを室外Ｏとすると共に冷却対象空間ＣＡを室内Ｒとし、暖房運転時においては加熱対象空間ＨＡを室内Ｒとすると共に冷却対象空間ＣＡを室外Ｏとするように、吸着式調湿装置１における冷媒と空気の通流状態が切り替えられることから、室内Ｒに対して、図２に示す冷房運転時には、第２吸着熱交換器１２の吸着材１０ａにより水分が吸着された低湿の空気を給気ＳＡとして供給する形態で除湿が行われ、図４に示す暖房運転時には、第１吸着熱交換器１１の吸着材１０ａにより水分が放出された高湿の空気を給気ＳＡとして供給する形態で加湿が行われることになる。
【００４５】
また、冷媒圧縮部Ｃの二次側に接続された冷媒管路６７には、当該冷媒管路６７を通流する冷媒の流量を調整可能な冷媒分配流量調整弁３５が設けられている。
即ち、この冷媒分配流量調整弁３５の開度を調整すれば、冷媒圧縮部Ｃから第２高圧側冷媒管路ＨＰ２への冷媒の分配流量、言い換えれば吸着式調湿装置１において空気冷却部ＣＥ及び空気加熱部ＨＥを含む冷媒循環回路における冷媒循環流量が調整可能となる。
更に、室内空気通路２３には、室内Ｒから室内空気通路２３に取り込まれた室内空気ＲＡの温度及び相対湿度を計測する温湿度計測器４０が設けられており、給気通路２４には、当該給気通路２４から室内Ｒに供給される給気ＳＡの温度及び相対湿度を計測する温湿度計測器４１が設けられている。
そして、制御装置９０は、室内Ｒの絶対湿度を所定の目標湿度に維持するように冷媒分配流量調整弁３５の開度を制御する調湿制御手段９３として機能する。
具体的に、調湿制御手段９３は、温湿度計測器４０により計測された室内空気ＲＡの温度及び相対湿度から当該室内空気ＲＡの絶対湿度を逐次算出すると共に、温湿度計測器４１により計測された給気ＳＡの温度及び相対湿度から当該給気ＳＡの絶対湿度を逐次算出する。尚、この絶対湿度の算出は、空気湿り線図や所定の近似式等を利用して行うことができる。
そして、調湿制御手段９３は、このように算出した室内空気ＲＡの絶対湿度を室内Ｒの絶対湿度として認識し、その室内空気ＲＡの絶対湿度が所定の目標湿度に維持されるように冷媒分配流量調整弁３５の開度を調整して、吸着式調湿装置１の運転・停止並びに運転時における調湿能力の調整を行う。
【００４６】
即ち、冷房運転時（図１及び図２参照）において、室内空気ＲＡの絶対湿度が上記目標湿度よりも若干高めの所定の運転開始目標湿度よりも高くなった場合には、閉状態の冷媒分配流量調整弁３５の開度が漸次拡大されて、空気冷却部ＣＥの冷却能力及び空気加熱部ＨＥへの冷媒の通流が開始され、吸着式調湿装置１の運転が開始されて、室内Ｒの除湿が開始される。更に、運転時における冷媒分配流量調整弁３５の開度は、給気ＳＡの絶対湿度が上記若干低めの所定の給気目標湿度に維持されるように調整される。即ち、給気ＳＡの絶対湿度が給気目標湿度よりも高い場合には、冷媒分配流量調整弁３５の開度が拡大されることで、空気冷却部ＣＥの冷却能力及び空気加熱部ＨＥの加熱能力が増加して、吸着材１０ａに対して授受される水分量が増加し、結果、除湿された給気ＳＡの絶対湿度の低下が図られる。逆に、給気ＳＡの絶対湿度が給気目標湿度よりも低い場合には、冷媒分配流量調整弁３５の開度が縮小されることで、空気冷却部ＣＥの冷却能力及び空気加熱部ＨＥの加熱能力が減少して、吸着材１０ａに対して授受される水分量が減少し、結果、除湿された給気ＳＡの絶対湿度の上昇が図られる。
そして、室内空気ＲＡの絶対湿度が上記目標湿度に維持された時点で、冷媒分配流量調整弁３５の開度が漸次縮小された閉状態となり、空気冷却部ＣＥの冷却能力が漸次減少され、及び空気加熱部ＨＥへの冷媒の通流が停止され、吸着式調湿装置１の運転が停止される。
【００４７】
一方、暖房運転時（図３及び図４参照）において、室内空気ＲＡの絶対湿度が上記目標湿度よりも若干低めの所定の運転開始目標湿度よりも低くなった場合には、閉状態の冷媒分配流量調整弁３５の開度が漸次拡大されて、空気冷却部ＣＥの冷却能力が漸次増大され、及び空気加熱部ＨＥへの冷媒の通流が開始され、吸着式調湿装置１の運転が開始されて、室内Ｒの加湿が開始される。更に、運転時における冷媒分配流量調整弁３５の開度は、給気ＳＡの絶対湿度が上記若干高めの所定の給気目標湿度に維持されるように調整される。即ち、給気ＳＡの絶対湿度が給気目標湿度よりも低い場合には、冷媒分配流量調整弁３５の開度が拡大されることで、空気冷却部ＣＥの冷却能力及び空気加熱部ＨＥの加熱能力が増加して、吸着材１０ａに対して授受される水分量が増加し、結果、加湿された給気ＳＡの絶対湿度の上昇が図られる。逆に、給気ＳＡの絶対湿度が給気目標湿度よりも高い場合には、冷媒分配流量調整弁３５の開度が縮小されることで、空気冷却部ＣＥの冷却能力及び空気加熱部ＨＥの加熱能力が減少して、吸着材１０ａに対して授受される水分量が減少し、結果、加湿された給気ＳＡの絶対湿度の低下が図られる。
そして、室内空気ＲＡの絶対湿度が上記目標湿度に維持された時点で、冷媒分配流量調整弁３５の開度が漸次縮小された閉状態となり、空気冷却部ＣＥの冷却能力及び空気加熱部ＨＥへの冷媒の通流が停止され、吸着式調湿装置１の運転が停止される。
【００４８】
〔圧縮式ヒートポンプ装置〕
図１〜図４に示す圧縮式ヒートポンプ装置５は、ガスエンジン５０で回転駆動される冷媒圧縮部Ｃで圧縮された冷媒を第１膨張弁６６に導く第１高圧側冷媒管路ＨＰ１に、当該第１高圧側冷媒管路ＨＰ１を通流する冷媒と加熱対象空間ＨＡの空気との熱交換を行う凝縮部ＣＯを配置すると共に、第１膨張弁６６で膨張された冷媒を冷媒圧縮部Ｃに導く第１低圧側冷媒管路ＬＰ１に、当該第１低圧側冷媒管路ＬＰ１を通流する冷媒と冷却対象空間ＣＡの空気との熱交換を行う蒸発部ＥＶを配置し、蒸発部ＥＶによる室内Ｒの空気の冷却又は凝縮部ＣＯによる室内Ｒの空気の加熱を行う形態で、室内Ｒの冷房又は暖房を行う装置として構成されている。
【００４９】
具体的に、圧縮式ヒートポンプ装置５は、室外Ｏ（例えば屋外）に配置された室外機５ｏと、室内Ｒに配置された室内機５ｒとからなり、これら室外機５ｏと室内機５ｒとの間で冷媒が循環される。
室外機５ｏには、冷媒圧縮部Ｃに加えて、伝熱管内部に冷媒が通流し当該冷媒と外表面を通過する空気との熱交換を行うフィンチューブ熱交換器で構成された室外熱交換器７０と、その室外熱交換器７０に室外Ｏの空気を通過させるファン７１とが設けられており、一方、室内機５ｒには、伝熱管内部に冷媒が通流し当該冷媒と外表面を通過する空気との熱交換を行うフィンチューブ熱交換器で構成された室内熱交換器８０と、その室内熱交換器８０に室内Ｒの空気を通過させるファン８１とが設けられている。
【００５０】
室外熱交換器７０が配置された冷媒管路６４の一方側端部と、室内熱交換器８０が配置された冷媒管路６５の一方側端部とは、夫々、高圧の冷媒を膨張させる第１膨張弁６６を介して接続されている。
一方、室外熱交換器７０が配置された冷媒管路６４の他方側端部と、室内熱交換器８０が配置された冷媒管路６５の他方側端部とは、夫々、四方切換弁６３に接続されている。
また、この四方切換弁６３には、冷媒圧縮部Ｃの二次側（吐出側）に接続された冷媒管路６１と、同冷媒圧縮部Ｃの一次側（吸込側）に接続された冷媒管路６２とが接続されている。よって、この四方切換弁３１の状態を切り替えることで、室外熱交換器７０及び室内熱交換器８０に対する冷媒の通流状態を、図１及び図２に示す冷房状態と、図２及び図４に示す暖房状態との間で切り替えることができる。
【００５１】
即ち、図１及び図２に示す冷房状態では、冷媒圧縮部Ｃで圧縮された冷媒が、冷媒管路６１、四方切換弁６３、冷媒管路６４に配置された室外熱交換器７０、第１膨張弁６６、冷媒管路６５に配置された室内熱交換器８０、四方切換弁６３、及び、冷媒管路６２を記載の順に通過した後に、冷媒圧縮部Ｃに戻される形態で、圧縮式ヒートポンプ装置５の冷媒循環路において冷媒が循環することになる。そして、この冷房状態では、室外熱交換器７０が配置された冷媒管路６４が、冷媒圧縮部Ｃで圧縮された高圧の冷媒が通流する第１高圧側冷媒管路ＨＰ１となり、室内熱交換器８０が配置された冷媒管路６５が、第１膨張弁６６で膨張された低圧の冷媒が通流する第１低圧側冷媒管路ＬＰ１となる。従って、この冷房状態では、室内熱交換器８０が低圧環境下で冷媒液を蒸発させる蒸発部ＥＶとして機能して外表面を通流する室内Ｒの空気を冷却し、一方、室外熱交換器７０が高圧環境下で冷媒蒸気を凝縮させる凝縮部ＣＯとして機能して外表面を通流する室外Ｏの空気を加熱する。即ち、室内熱交換器８０では、第１膨張弁６６で膨張された低圧の冷媒液が蒸発することにより吸熱作用を奏し、外表面を通流する室内Ｒの空気から冷媒へ熱を取り込む形態で、外表面を通流する室内Ｒの空気を冷却して、室内Ｒの冷房を行うことができる。一方、室外熱交換器７０では、冷媒圧縮部Ｃで圧縮された高圧の冷媒蒸気が凝縮することにより放熱作用を奏し、外表面を通流する室外Ｏの空気へ冷媒の熱を放出することから、外表面を通流する室外Ｏの空気を加熱することができる。
【００５２】
一方、図３及び図４に示す暖房状態では、冷媒圧縮部Ｃで圧縮された冷媒が、冷媒管路６１、四方切換弁６３、冷媒管路６５に配置された室内熱交換器８０、第１膨張弁６６、冷媒管路６４に配置された室外熱交換器７０、四方切換弁６３、及び、冷媒管路６２を記載の順に通過した後に、冷媒圧縮部Ｃに戻される形態で、圧縮式ヒートポンプ装置５の冷媒循環路において冷媒が循環することになる。そして、この暖房状態では、室内熱交換器８０が配置された冷媒管路６５が、冷媒圧縮部Ｃで圧縮された高圧の冷媒が通流する第１高圧側冷媒管路ＨＰ１となり、室外熱交換器７０が配置された冷媒管路６４が、第１膨張弁６６で膨張された低圧の冷媒が通流する第１低圧側冷媒管路ＬＰ１となる。従って、この冷房状態では、室外熱交換器７０が低圧環境下で冷媒液を蒸発させる蒸発部ＥＶとして機能して外表面を通流する室内Ｒの空気を冷却し、一方、室内熱交換器８０が高圧環境下で冷媒蒸気を凝縮させる凝縮部ＣＯとして機能して外表面を通流する室外Ｏの空気を加熱する。即ち、室内熱交換器８０では、冷媒圧縮部Ｃで圧縮された高圧の冷媒蒸気が凝縮することにより放熱作用を奏し、外表面を通流する室内Ｒの空気へ冷媒の熱を放出することから、外表面を通流する室内Ｒの空気を加熱して、室内Ｒの暖房を行うことができる。一方、室外熱交換器７０では、第１膨張弁６６で膨張された低圧の冷媒液が蒸発することにより吸熱作用を奏し、外表面を通流する室内Ｒの空気から冷媒へ熱を取り込む形態で、外表面を通流する室内Ｒの空気を冷却することができる。
【００５３】
そして、制御装置９０が機能する冷暖房切替手段９２により、冷房運転時においては加熱対象空間ＨＡを室外Ｏとすると共に冷却対象空間ＣＡを室内Ｒとし、暖房運転時においては加熱対象空間ＨＡを室内Ｒとすると共に冷却対象空間ＣＡを室外Ｏとするように、圧縮式ヒートポンプ装置５における冷媒の通流状態が上記冷房状態と上記暖房状態との間で切り替えられることから、室内Ｒに対して、図１及び図２に示す冷房運転時には、室内熱交換器８０を蒸発部ＥＶとして機能させて当該室内熱交換器８０により室内Ｒの空気を冷却する形態で冷房が行われ、図３及び図４に示す暖房運転時には、室内熱交換器８０を凝縮部ＣＯとして機能させて当該室内熱交換器８０により室内Ｒの空気を加熱する形態で暖房が行われることになる。
【００５４】
また冷媒圧縮部Ｃにおいて、第１冷媒圧縮機６０ａは、ガスエンジン５０ａの出力を調整して回転速度を調整可能に構成され、第２冷媒圧縮機６０ｂは、モータ５０ｂの出力を調整して回転速度を調整可能に構成されている。以下、第１冷媒圧縮機６０ａおよび／または第２冷媒圧縮機６０ｂの回転速度を、冷媒圧縮部Ｃの回転速度と総称する。
即ち、この冷媒圧縮部Ｃの回転速度を調整すれば、圧縮式ヒートポンプ装置５において室外熱交換器７０及び室内熱交換器８０を含む冷媒循環回路における冷媒循環流量が調整可能となる。
更に、室内機５ｒには、室内熱交換器８０を通過して冷却又は加熱された空気の温度（以下「室内吹出温度」と呼ぶ。）を計測する温度計測器８３が設けられている。
そして、制御装置９０は、室内Ｒの温度を所定の目標温度に維持するように冷媒圧縮部Ｃの回転速度を制御する調温制御手段９４として機能する。
具体的に、調温制御手段９４は、温度計測器８３で計測された室内吹出温度が目標温度に維持されるようにガスエンジン５０の出力を調整して冷媒圧縮部Ｃの回転速度の調整を行う。
即ち、冷房運転時（図１及び図２参照）において、吹出温度が上記目標温度よりも高くなった場合には、冷媒圧縮部Ｃの回転速度が増加されて、蒸発部ＥＶとして機能する室内熱交換器８０の冷却能力が増加し、結果、室内吹出温度の低下が図られる。逆に、吹出温度が上記目標温度よりも低くなった場合には、冷媒圧縮部Ｃの回転速度が減少されて、蒸発部ＥＶとして機能する室内熱交換器８０の冷却能力が減少し、結果、室内吹出温度の上昇が図られる。
一方、暖房運転時（図３及び図４参照）において、吹出温度が上記目標温度よりも低くなった場合には、冷媒圧縮部Ｃの回転速度が増加されて、凝縮部ＣＯとして機能する室内熱交換器８０の加熱能力が増加し、結果、室内吹出温度の上昇が図られる。逆に、吹出温度が上記目標温度よりも高くなった場合には、冷媒圧縮部Ｃの回転速度が減少されて、凝縮部ＣＯとして機能する室内熱交換器８０の加熱能力が減少し、結果、室内吹出温度の低下が図られる。
尚、本実施形態では、調温制御手段９４により、室内吹出温度に基づいて冷媒圧縮部Ｃの回転速度を制御する構成としたが、室内熱交換器８０の温度を計測する温度計測器を設け、その室内熱交換器８０の温度（冷房運転時には蒸発温度、暖房運転時には凝縮温度）に基づいて冷媒圧縮部Ｃの回転速度を制御するように構成しても構わない。
【００５５】
〔蓄熱部〕
圧縮式ヒートポンプ装置５の室外機５ｏには、ガスエンジン５０ａの排熱を蓄える蓄熱部５８と、吸着式調湿装置１に供給される冷媒を加熱する第１冷媒加熱部５４ａと、凝縮部ＣＯと蒸発部ＥＶとを通流して冷媒圧縮部Ｃへ戻る冷媒を加熱する第２冷媒加熱部５４ｂが配置されている。これらの構成について、以下図１を参照して説明する。
【００５６】
冷却水管路５２ａは、ガスエンジン５０ａを冷却する冷却水が通流する管路であって、ガスエンジン５０ａを冷却する水冷ジャケット（図示なし）の出口と入口とに接続されている。冷却水管路５２ａには、水冷ジャケットの出口から冷却水の通流方向に沿って順に、排ガス熱交換器５３、三方切換弁５７ａ、５７ｂ、５７ｃおよび５７ｄ、第１冷媒加熱部５４ａ、循環ポンプ５６が設けられている。水冷ジャケットを通流してガスエンジン５０ａを冷却して加熱された冷却水は、ガスエンジン５０ａから排熱を受け取り、さらに加熱される。ガスエンジン５０ａの水冷ジャケットの出口には温度センサ（図示なし）が設けられており、冷却水の温度Ｔｗを計測して制御装置９０へ報知する。
【００５７】
排ガス熱交換器５３は、ガスエンジン５０ａの排気路５１に設けられた熱交換器である。排ガス熱交換器５３を通流した冷却水は、ガスエンジン５０ａの排ガスＥＧから排熱を受け取り、加熱される。
【００５８】
第１冷媒加熱部５４ａは、冷媒管路６７に設けられた熱交換器である。第１冷媒加熱部５４ａを通流した冷却水は、冷媒管路６７を通流する冷媒に熱を与えて加熱する。
【００５９】
冷却水管路５２ａの三方切換弁５７ａと５７ｂに、蓄熱部５８が接続されている。蓄熱部５８は、熱を蓄える蓄熱材が内部に充填されたタンクである。三方切換弁５７ａと５７ｂとがＯＦＦ状態では、冷却水は排ガス熱交換器５３から三方切換弁５７ａへ流れる。三方切換弁５７ａと５７ｂとがＯＮ状態では、冷却水は排ガス熱交換器５３から蓄熱部５８へ流れ込み、蓄熱部５８の蓄熱材と熱交換し、三方切換弁５７ｃへと流れる。このとき、蓄熱部５８の温度（蓄熱材の温度と同義である。以下同じ。）Ｔｓが、流入した冷却水の温度よりも低い場合、蓄熱部５８は冷却水から熱を受け取り、加熱される。すなわち、蓄熱部５８がガスエンジン５０ａの排熱を蓄える。蓄熱部５８の温度Ｔｓが、流入した冷却水の温度よりも高い場合、蓄熱部５８は冷却水に熱を与え、加熱する。すなわち、蓄熱部５８がガスエンジン５０ａの排熱を冷却水に与える。なお蓄熱部５８には温度センサ（図示なし）が設けられており、蓄熱部の温度Ｔｓを計測して制御装置９０へ報知する。
【００６０】
冷却水管路５２ａの三方切換弁５７ｃに、冷却水管路５２ｂが接続されている。冷却水管路５２ｂには、第２冷媒加熱部５４ｂが設けられている。冷却水管路５２ｂは、第２冷媒加熱部５４ｂの下流側において、冷却水管路５２ａの第１冷媒加熱部５４ａと循環ポンプ５６との間に接続されている。
【００６１】
第２冷媒加熱部５４ｂは、冷媒管路６５に設けられた熱交換器である。第２冷媒加熱部５４ｂを通流した冷却水は、冷媒管路６５を通流する冷媒に熱を与えて加熱する。三方切換弁５７ｃがＯＦＦ状態では、冷却水は三方切換弁５７ｂから三方切換弁５７ｄへと流れる。三方切換弁５７ｃがＯＮ状態では、冷却水は三方切換弁５７ｂから第２冷媒加熱部５４ｂへ流れる。
【００６２】
なお冷媒管路６５において、四方切換弁６３と第２冷媒加熱部５４ｂとの間に、三方切換弁７２が設けられている。そして冷媒管路７３が、三方切換弁７２に接続されている。冷媒管路７３の他方の端部は、冷媒管路６２と冷媒管路６８との合流点と、第２冷媒加熱部５４ｂとの間に接続されている。三方切換弁７２がＯＦＦ状態では、冷媒は三方切換弁７２から第２冷媒加熱部５４ｂへ流れる。三方切換弁７２がＯＮ状態では、冷媒は三方切換弁７２から冷媒管路７３を通って冷媒圧縮部Ｃへと流れ、第２冷媒加熱部５４ｂには流入しない。すなわち三方切換弁７２がＯＮ状態では、冷媒は第２冷媒加熱部５４ｂをバイパスして冷媒圧縮部Ｃへと流れる。
【００６３】
冷却水管路５２ａの三方切換弁５７ｄに、冷却水管路５２ｃが接続されている。冷却水管路５２ｃには、ラジエータ５５が設けられている。冷却水管路５２ｂは、ラジエータ５５の下流側が、冷却水管路５２ｂの第２冷媒加熱部５４ｂと、冷却水管路５２ａと冷却水管路５２ｂとの接続点との間に、接続されている。
【００６４】
ラジエータ５５は、冷却水管路５２ｃに設けられた熱交換器であって、通流する冷却水から熱を奪って室外機５ｏの外へ排出する。すなわちラジエータ５５は、通流する冷却水を冷却する。三方切換弁５７ｄがＯＦＦ状態では、冷却水は三方切換弁５７ｃから第１冷媒加熱部５４ａへと流れる。三方切換弁５７ｄがＯＮ状態では、冷却水は三方切換弁５７ｃからラジエータ５５へ流れる。
【００６５】
以上述べた構成により、空気調和システムの圧縮式ヒートポンプ装置５では、ガスエンジン５０ａの排熱が冷却水管路５２ａを通流する冷却水に与えられ、蓄熱部５８に蓄えられる。蓄熱部５８に蓄えられた熱は、空気調和システムの運転状態に応じて冷却水管路５２ａを通流する冷却水に与えられる。そして第１冷媒加熱部５４ａおよび第２冷媒加熱部５４ｂにおいて、冷却水の有する熱が冷媒に与えられ、冷媒が加熱される。
【００６６】
水冷ジャケットおよび排ガス熱交換器５３で加熱された冷却水は、高温（例えば９０℃）となる。また、ガスエンジン５０ａが運転されない期間に蓄熱部５８で加熱される冷却水も、ある程度の高温（例えば８５℃）となる。したがって、冷媒圧縮部Ｃで圧縮された後の比較的高い温度（例えば７５℃）の冷媒に対しても、第１冷媒加熱部５４ａにおいて上述した高温の冷却水により、加熱することができる。
【００６７】
〔空気調和システムの起動時の制御〕
次に、空気調和システムの起動時の制御について、図６を用いて説明する。
【００６８】
＜ステップ＃１０１＞
空気調和システムの起動指示を受けると、制御装置９０は、モータ５０ｂでの単独運転の指示があるか否かを確認する。このような指示は、例えば電気料金が割安な深夜に運転を開始する場合に出される場合がある。モータ単独運転の指示がある場合（Ｙｅｓ）は、＃１０７へ進み、モータ単独運転の指示が無い場合（Ｎｏ）、すなわちガスエンジン５０ａでの単独運転の指示またはガスエンジン５０ａとモータ５０ｂの両方を用いた運転の指示がある場合は、＃１０２へ進む。
【００６９】
＜ステップ＃１０２：第１起動処理＞
制御装置９０は、ガスエンジン５０ａの起動を指示する。この指示を受け、ガスエンジン５０ａが起動される。加えてモータ５０ｂを運転に用いる旨の指示があれば、制御装置９０はモータ５０ｂの起動を指示する。この指示を受けてモータ５０ｂが起動される。制御装置９０は、循環ポンプ５６の起動を指示し、この指示を受けて循環ポンプ５６が起動される。これにより、冷媒および冷却水の通流が開始される。
【００７０】
＜ステップ＃１０３＞
制御装置９０は、ガスエンジン５０ａの冷却水の温度Ｔｗを確認する。冷却水温度Ｔｗが閾値Ｔｗ０よりも低い、すなわちＴｗ＜Ｔｗ０である場合（Ｙｅｓ）、＃１０４へ進む。冷却水温度Ｔｗが閾値Ｔｗ０以上である場合（Ｎｏ）、＃１０５へ進む。
【００７１】
＜ステップ＃１０４：保護処理＞
制御装置９０は、三方切換弁５７ｃおよび７２をＯｎする。これにより冷却水は、第１冷媒加熱部５４ａに流入せず、三方切換弁５７ｃから冷却水管路５２ｂを通って第２冷媒加熱部５４ｂへと流入する。一方、冷媒管路６５を流れてきた冷媒は、三方切換弁７２から冷媒管路７３へと流入し、第２冷媒加熱部５４ｂには流入しなくなる。これにより、第１冷媒加熱部５４ａにおける冷却水の冷却は行われず、第２冷媒加熱部５４ｂにおける冷却水の冷却は抑制される。従って冷却水は、大きく熱を奪われることなく、循環ポンプ５６を通ってガスエンジン５０ａの冷却ジャケットへ流入するから、冷却水の温度が上昇する。冷却水の温度（Ｔｗ）が低すぎると、ガスエンジン５０ａでの燃焼が正常に行われない場合があるため、冷却水の温度が低い場合には上述の保護処理を行い、ガスエンジン５０ａの排熱を冷媒に与えることを抑制し、冷却水の温度を上昇させる。閾値Ｔｗ０は、ガスエンジン５０ａでの燃焼が正常に行われる冷却水の温度として事前に決定されている。冷却水温度Ｔｗが閾値Ｔｗ０以上になると、制御装置９０は三方切換弁５７ｃおよび７２をＯＦＦし、保護処理を終了して＃１０５へ進む。
【００７２】
＜ステップ＃１０５＞
制御装置９０は、圧縮式ヒートポンプ装置５による暖房運転の指示があるか否かを確認し、室外Ｏの気温である外気温Ｔｏを図示しない温度センサにより確認する。暖房運転の指示があり、かつ、外気温Ｔｏが閾値Ｔｏ０よりも低い、すなわちＴｏ＜Ｔｏ０である場合（Ｙｅｓ）、＃１０６へ進む。暖房運転の指示がない、および／または外気温Ｔｏが閾値Ｔｗ０以上である場合（Ｎｏ）、＃１１１へ進み、起動時制御を終了する。
【００７３】
＜ステップ＃１０６：第１調温補助処理＞
制御装置９０は、三方切換弁５７ｃを１０分間ＯＮする。これにより冷却水は、第１冷媒加熱部５４ａに流入せず、三方切換弁５７ｃから冷却水管路５２ｂを通って第２冷媒加熱部５４ｂへと流入する。そうすると、冷媒管路６５を流れる冷媒が、第２冷媒加熱部５４ｂにおいて高温の冷却水により加熱され、温度が上昇した状態で冷媒圧縮部Ｃへ流入することになる。１０分間経過して第１調温補助処理を終了すると、＃１１１へ進み、起動時制御を終了する。
【００７４】
外気温が低い時期に空気調和システムを起動する際は、冷媒の温度も外気温に応じて低下しているので、圧縮式ヒートポンプ装置５の運転開始直後は冷媒の温度が低く、室内熱交換器８０での室内Ｒの空気の加熱に時間を要する。空気調和システムの起動時制御において、暖房運転の指示があり、かつ、外気温Ｔｏが閾値Ｔｏ０よりも低い、すなわちＴｏ＜Ｔｏ０である場合に、上述の第１調温補助処理を行うことにより、ガスエンジン５０ａの排熱を利用して冷媒圧縮部Ｃへ流入する冷媒の温度を速やかに上昇させることができ、室内Ｒの調温（暖房）を早期に実現できる。すなわち、空気調和システムの利便性をさらに高めることができる。
【００７５】
＜ステップ＃１０７＞
制御装置９０は、蓄熱部５８の温度Ｔｓと外気温Ｔｏとを確認する。蓄熱部５８の温度Ｔｓが閾値Ｔｓ０よりも低く（Ｔｓ＜Ｔｓ０）、かつ、外気温Ｔｏが閾値Ｔｏ０よりも低い、すなわちＴｏ＜Ｔｏ０である場合（Ｙｅｓ）、＃１０２へ進む。蓄熱部５８の温度Ｔｓが閾値Ｔｓ０以上であり、および／または外気温Ｔｏが閾値Ｔｏ０以上である場合（Ｎｏ）、＃１０８へ進む。
【００７６】
閾値Ｔｓ０は、蓄熱部５８に十分な量の熱が蓄熱されているか否かを判断するための値であって、事前に設定されている値である。閾値Ｔｓ０は、例えば、平均的な運転状態における冷却水の温度に設定することができる。そうすると、蓄熱部５８の温度ＴｓがＴｓ０よりも高い場合、冷却水に熱を与えて加熱することができるから、蓄熱部５８に熱が蓄えられているといえる。一方、蓄熱部５８の温度ＴｓがＴｓ０よりも低い場合、冷却水に熱を与えて加熱することができず、逆に冷却水から熱を奪って蓄えることになるから、蓄熱部５８に蓄えられた熱が不足していることになる。
【００７７】
モータ単独運転の指示がある場合でも（＃１０１でＹｅｓ）、＃１０７にて蓄熱部５８の温度Ｔｓが閾値Ｔｓ０よりも低く（Ｔｓ＜Ｔｓ０）、かつ、外気温Ｔｏが閾値Ｔｏ０よりも低い、すなわちＴｏ＜Ｔｏ０である場合（Ｙｅｓ）には、＃１０２へ進み、ガスエンジン５０ａが起動される。これは、蓄熱部５８に蓄えられている熱の量が所定の閾値よりも少なく、かつ、外気温が所定の閾値よりも低い場合には、ガスエンジン５０ａの排熱が利用できるように、モータ単独での起動を避け、ガスエンジン５０ａを起動するものである。蓄熱部５８に蓄えられた熱が不足し、かつガスエンジン５０ａが運転されていないと、ガスエンジン５０ａの排熱を利用できず、空気調和システムの利便性やエネルギー効率が損なわれる可能性があるからである。
【００７８】
＜ステップ＃１０８：第２起動処理＞
制御装置９０は、モータ５０ｂおよび循環ポンプ５６の起動を指示する。この指示を受けてモータ５０ｂおよび循環ポンプ５６が起動される。これにより、冷媒および冷却水の通流が開始される。
【００７９】
＜ステップ＃１０９＞
制御装置９０は、圧縮式ヒートポンプ装置５による暖房運転の指示があるか否かを確認し、外気温Ｔｏを確認する。暖房運転の指示があり、かつ、外気温Ｔｏが閾値Ｔｏ０よりも低い、すなわちＴｏ＜Ｔｏ０である場合（Ｙｅｓ）、＃１１０へ進む。暖房運転の指示がない、および／または外気温Ｔｏが閾値Ｔｏ０以上である場合（Ｎｏ）、＃１１１へ進み、起動時制御を終了する。
【００８０】
＜ステップ＃１１０：第２調温補助処理＞
制御装置９０は、三方切換弁５７ａ、５７ｂおよび５７ｃを１０分間ＯＮする。これにより冷却水は、蓄熱部５８へ流入した後、三方切換弁５７ｃから冷却水管路５２ｂを通って第２冷媒加熱部５４ｂへと流入する。蓄熱部５８へ流入した冷却水は、蓄熱部５８の蓄熱材から熱を受け取って加熱され高温となる。そうすると、冷媒管路６５を流れる冷媒が、第２冷媒加熱部５４ｂにおいて高温の冷却水により加熱され、温度が上昇した状態で冷媒圧縮部Ｃへ流入することになる。１０分間経過して第２調温補助処理を終了すると、＃１１１へ進み、起動時制御を終了する。
【００８１】
上述したように、外気温が低い時期に空気調和システムを起動する際は、冷媒の温度も外気温に応じて低下しているので、圧縮式ヒートポンプ装置５の運転開始直後は冷媒の温度が低く、室内熱交換器８０での室内Ｒの空気の加熱に時間を要する。空気調和システムの起動時制御において、暖房運転の指示があり、かつ、外気温Ｔｏが閾値Ｔｏ０よりも低い、すなわちＴｏ＜Ｔｏ０である場合に、上述の第２調温補助処理を行うことにより、ガスエンジン５０ａの排熱を利用して冷媒圧縮部Ｃへ流入する冷媒の温度を速やかに上昇させることができ、室内Ｒの調温（暖房）を早期に実現できる。特に第２調温補助処理を行う際には、ガスエンジン５０ａは起動されていないため、ガスエンジン５０ａの排熱を直接利用することはできない。しかし蓄熱部５８には、ガスエンジン５０ａが稼働している間の排熱が蓄えられており、その熱を用いて冷媒を加熱することができる。つまり、蓄熱部５８に蓄えたガスエンジン５０ａの排熱を利用して、冷媒圧縮部Ｃへ流入する冷媒の温度を速やかに上昇させることができる。すなわち、空気調和システムの利便性をさらに高めることができる。
【００８２】
〔空気調和システムの運転時の制御〕
次に、空気調和システムの運転時の制御について、図７を用いて説明する。
【００８３】
＜ステップ＃２０１＞
制御装置９０は、現在の空気調和システムの運転状態がモータ単独運転であるか否かを確認する。モータ単独運転である場合（Ｙｅｓ）は、＃２１１へ進み、モータ単独運転ではない場合（Ｎｏ）、すなわちガスエンジン５０ａでの単独運転またはガスエンジン５０ａとモータ５０ｂの両方を用いた運転である場合は、＃２０２へ進む。
【００８４】
＜ステップ＃２０２＞
制御装置９０は、以後３０分以内にモータ単独運転を行う旨の指示があるか否か、および蓄熱部５８の温度Ｔｓを確認する。３０分以内にモータ単独運転を行う旨の指示があり、かつ、蓄熱部５８の温度Ｔｓが閾値Ｔｓ０よりも低い、すなわちＴｓ＜Ｔｓ０である場合（Ｙｅｓ）、＃２０３へ進む。３０分以内にモータ単独運転を行う旨の指示がなく、および／または、蓄熱部５８の温度Ｔｓが閾値Ｔｓ０以上である場合（Ｎｏ）、＃２０４へ進む。
【００８５】
＜ステップ＃２０３：蓄熱処理＞
制御装置９０は、三方切換弁５７ａと５７ｂとをＯＮする。すると、冷却水が蓄熱部５８に流入し、冷却水が有する熱（ガスエンジン５０ａの排熱）が蓄熱部５８に蓄えられる。制御装置９０は、所定時間（例えば、５分間）が経過した時点で、三方切換弁５７ａと５７ｂとをＯＦＦし、蓄熱処理を終了する。そして＃２１７へ進み、＃２０１へ戻って運転時制御を継続する。
【００８６】
３０分以内にモータ単独運転を行う旨の指示がある場合、３０分以内にガスエンジン５０ａが停止され、その後はガスエンジン５０ａから排熱が発生しなくなる。その時に蓄熱部５８に熱が十分に蓄えられていない場合には、モータ単独運転において蓄熱部５８により冷媒を加熱することができなくなる。そこで空気調和システムでは、蓄熱部５８の温度Ｔｓが閾値Ｔｓ０よりも低い、すなわち蓄熱部５８に蓄えている熱の量が所定の閾値よりも少ない場合に、蓄熱処理としてガスエンジン５０ａの排熱を蓄熱部５８に蓄える。上述の蓄熱処理を行うことにより、蓄熱部５８の熱が不足して冷媒を加熱できない事態を回避して、空気調和システムの効率を高く保つことができる。すなわち、空気調和システムのエネルギー効率をさらに高めることができる。
【００８７】
＜ステップ＃２０４＞
制御装置９０は、吸着式調湿装置１が調湿運転を実行中か否かを確認する。調湿運転を実行中の場合は（Ｙｅｓ）、＃２０５へ進む。調湿運転を実行中でない場合は（Ｎｏ）、＃２０６へ進む。
【００８８】
＜ステップ＃２０５：第１調湿補助処理＞
制御装置９０は、三方切換弁５７ａ、５７ｂ、５７ｃおよび５７ｄをＯＦＦに保ち、冷却水を第１冷媒加熱部５４ａに通流させる。これにより、冷媒管路６７を流れて吸着式調湿装置１へ供給される冷媒が、ガスエンジン５０ａの排熱により加熱される。所定時間（例えば、５分間）が経過した時点で、＃２１７へ進み、＃２０１に戻って運転を継続する。
【００８９】
＜ステップ＃２０６＞
制御装置９０は、圧縮式ヒートポンプ装置５が暖房運転を実行中か否かを確認する。暖房運転を実行中の場合は（Ｙｅｓ）、＃２０７へ進む。暖房運転を実行中でない場合は（Ｎｏ）、＃２０８へ進む。
【００９０】
＜ステップ＃２０７：第１調温補助処理＞
制御装置９０は、上述した＃１０６と同様の第１調温補助処理を行う。すなわち制御装置９０は、三方切換弁５７ｃを所定時間（例えば、５分間）ＯＮする。これにより冷却水は、第１冷媒加熱部５４ａに流入せず、三方切換弁５７ｃから冷却水管路５２ｂを通って第２冷媒加熱部５４ｂへと流入する。そうすると、冷媒管路６５を流れる冷媒が、第２冷媒加熱部５４ｂにおいて高温の冷却水により加熱され、温度が上昇した状態で冷媒圧縮部Ｃへ流入することになる。所定時間が経過して第１調温補助処理を終了すると、＃２１７へ進み、＃２０１に戻って運転を継続する。
【００９１】
＜ステップ＃２０８＞
制御装置９０は、蓄熱部５８の温度Ｔｓを確認する。蓄熱部５８の温度Ｔｓが閾値Ｔｓ０よりも低い、すなわちＴｓ＜Ｔｓ０である場合（Ｙｅｓ）、＃２０９へ進む。蓄熱部５８の温度Ｔｓが閾値Ｔｓ０以上である（Ｎｏ）場合、＃２１０へ進む。
【００９２】
＜ステップ＃２０９：蓄熱処理＞
制御装置９０は、上述した＃２０３と同様の蓄熱処理を行う。制御装置９０は、三方切換弁５７ａと５７ｂとをＯＮする。すると、冷却水が蓄熱部５８に流入し、冷却水が有する熱（ガスエンジン５０ａの排熱）が蓄熱部５８に蓄えられる。制御装置９０は、所定時間（例えば、５分間）が経過した時点で、三方切換弁５７ａと５７ｂとをＯＦＦし、蓄熱処理を終了する。そして＃２１７へ進み、＃２０１へ戻って運転時制御を継続する。
【００９３】
すなわち空気調和システムでは、蓄熱部５８の温度Ｔｓが閾値Ｔｓ０よりも低い、すなわち蓄熱部５８に蓄えている熱の量が所定の閾値よりも少ない場合に、蓄熱処理としてガスエンジン５０ａの排熱を蓄熱部５８に蓄える。この蓄熱処理によれば、調湿運転が実行されず、かつ暖房運転が実行されない状態すなわち冷房運転を実行している状態において、蓄熱部５８に十分な量の熱が蓄えられていない場合に、蓄熱部５８にガスエンジン５０ａの排熱を蓄えることができる。調湿運転が実行されず、かつ冷房運転を実行している状態では、従来であればガスエンジン５０ａの排熱は使い道がなく捨てられていた。蓄熱部５８の存在により、従来捨てるしかなかった排熱を有効活用でき、空気調和システムのエネルギー効率を高めることができる。
【００９４】
＜ステップ＃２１０：系外排熱処理＞
制御装置９０は、三方切換弁５７ｄをＯＮする。すると、冷却水が三方切換弁５７ｃからラジエータ５５へ流れる。すると、高温の冷却水がラジエータ５５で熱を失って冷却され、ガスエンジン５０ａの水冷ジャケットに戻される。冷却水からの熱は、室外機５ｏの外へ排出される。この状態のまま＃２１７へ進み、＃２０１へ戻って運転時制御を継続する。そして、モータ単独運転となってガスエンジン５０ａが停止した際（＃２０１でＹｅｓ）や、蓄熱処理（＃２０３、＃２０９）、第１調湿補助処理（＃２０５）、第１調温補助処理（＃２０７）にてガスエンジン５０ａの排熱を利用する処理を行う際に、制御装置９０は三方切換弁５７ｄをＯＦＦする。この系外排熱処理により、ガスエンジン５０ａの排熱が利用されず、蓄熱部５８に十分な量の熱が蓄えられている場合に、冷却水を冷却して安全に空気調和システムの運転を継続できる。
【００９５】
＜ステップ＃２１１＞
制御装置９０は、蓄熱部５８の温度Ｔｓを確認する。蓄熱部５８の温度Ｔｓが閾値Ｔｓ０よりも低い、すなわちＴｓ＜Ｔｓ０である場合（Ｙｅｓ）、＃２１２へ進む。蓄熱部５８の温度Ｔｓが閾値Ｔｓ０以上である（Ｎｏ）場合、＃２１３へ進む。
【００９６】
＜ステップ＃２１２＞
制御装置９０は、循環ポンプ５６を停止する。モータ単独運転中（＃２０１でＹｅｓ）で、かつ蓄熱部５８に十分な量の熱が蓄えられていない場合には、ガスエンジン５０ａの排熱と蓄熱部５８の熱とのいずれも活用することができず、冷媒を加熱することができない。そこで循環ポンプ５６を停止して冷却水の循環を止め、電力の削減を図っている。循環ポンプ５６の停止後、＃２１７へ進み、＃２０１へ戻って運転時制御を継続する。
【００９７】
＜ステップ＃２１３＞
制御装置９０は、吸着式調湿装置１が調湿運転を実行中か否かを確認する。調湿運転を実行中の場合は（Ｙｅｓ）、＃２１４へ進む。調湿運転を実行中でない場合は（Ｎｏ）、＃２１５へ進む。
【００９８】
＜ステップ＃２１４：第２調湿補助処理＞
制御装置９０は、三方切換弁５７ａおよび５７ｂをＯＮし、三方切換弁５７ｃおよび５７ｄをＯＦＦに保ち、冷却水を蓄熱部５８と第１冷媒加熱部５４ａとに通流させる。すると、冷却水が蓄熱部５８から熱を受け取って高温となり、次いで第１冷媒加熱部５４ａにて吸着式調湿装置１へ供給される冷媒を加熱する。制御装置９０は、所定時間（例えば、５分間）が経過した時点で、三方切換弁５７ａおよび５７ｂをＯＦＦし、第２調湿補助処理を終了する。そして＃２１７へ進み、＃２０１に戻って運転を継続する。
【００９９】
上述の第２調湿補助処理によれば、モータ単独運転中（＃２０１でＹｅｓ）すなわちガスエンジン５０ａが稼働しておらず排熱が生じない状況で、吸着式調湿装置１で調湿運転が行われている場合に、蓄熱部５８が蓄えていたガスエンジン５０ａの排熱を冷媒に与えて加熱することができる。これにより、ガスエンジン５０ａの排熱を利用して、空気調和システムのエネルギー効率をさらに高めることができる。
【０１００】
＜ステップ＃２１５＞
制御装置９０は、圧縮式ヒートポンプ装置５が暖房運転を実行中か否かを確認する。暖房運転を実行中の場合は（Ｙｅｓ）、＃２１６へ進む。調湿運転を実行中でない場合は（Ｎｏ）、＃２１７へ進み、＃２０１に戻って運転を継続する。
【０１０１】
＜ステップ＃２１６：第２調温補助処理＞
制御装置９０は、三方切換弁５７ａ、５７ｂおよび５７ｃをＯＮし、冷却水を蓄熱部５８と第２冷媒加熱部５４ｂとに通流させる。すると、冷却水が蓄熱部５８から熱を受け取って高温となり、次いで第２冷媒加熱部５４ｂにて冷媒圧縮部Ｃへ戻る冷媒を加熱する。制御装置９０は、所定時間（例えば、５分間）が経過した時点で、三方切換弁５７ａ、５７ｂおよび５７ｃをＯＦＦし、第２調温補助処理を終了する。そして＃２１７へ進み、＃２０１に戻って運転を継続する。
【０１０２】
上述の第２調温補助処理によれば、モータ単独運転中（＃２０１でＹｅｓ）すなわちガスエンジン５０ａが稼働しておらず排熱が生じない状況で、圧縮式ヒートポンプ装置５で暖房運転が行われている場合に、蓄熱部５８が蓄えていたガスエンジン５０ａの排熱を冷媒に与えて加熱することができる。これにより、ガスエンジン５０ａの排熱を利用して、空気調和システムのエネルギー効率をさらに高めることができる。
【０１０３】
〔別実施形態〕
次に、別実施形態に係る空気調和システムについて、図８に基づいて説明する。なお、上述の実施形態と同一の構成については同じ符号を付し、詳細な説明を省略する。
【０１０４】
別実施形態に係る空気調和システムは、第１室内Ｒ１の調温および調湿を行う第１システムＳ１と、第２室内Ｒ２の調温および調湿を行う第２システムＳ２とを有している。第１システムＳ１は、吸着式調湿装置１と圧縮式ヒートポンプ装置５とを有し、圧縮式ヒートポンプ装置５の冷媒圧縮部Ｃが、ガスエンジン５０ａにより駆動される第１冷媒圧縮機６０ａを有している。第２システムＳ２は、吸着式調湿装置１と圧縮式ヒートポンプ装置５とを有し、圧縮式ヒートポンプ装置５の冷媒圧縮部Ｃが、モータ５０ｂにより駆動される第２冷媒圧縮機６０ｂを有している。つまり別実施形態に係る空気調和システムは、大規模な建築物等に用いられるシステムであって、ガスエンジン５０ａを用いて空調を行う第１システムＳ１と、モータ５０ｂを用いて空調を行う第２システムＳ２とが併存するシステムである。
【０１０５】
空気調和システムはさらに、第１システムＳ１の有するガスエンジン５０ａの排熱を蓄えて、蓄えた熱を第２システムＳ２の冷媒に与える蓄熱部１０１を有している。これによりガスエンジン５０ａの排熱が第２システムＳ２にて有効活用される。
【０１０６】
図８に示される第１システムＳ１は、図１〜４に示される上述の空気調和システムとほぼ同じ構成であるが、モータ５０ｂ、第２冷媒圧縮機６０ｂおよび逆止弁６９ｂが省略されている。そして冷却水管路５２ａの三方切換弁５７ａおよび５７ｂに、冷却水管路１０２ａが接続され、冷却水管路１０２ａに蓄熱部１０１が設けられている。三方切換弁５７ａと５７ｂとがＯＮ状態では、冷却水は冷却水管路１０２ａを通って蓄熱部１０１へ流れ込み、蓄熱部１０１の蓄熱材と熱交換し、三方切換弁５７ｂへと戻る。このようにして、第１システムＳ１のガスエンジン５０ａの排熱が蓄熱部１０１へ蓄えられる。また、蓄熱部１０１に蓄えられた熱が冷却水の加熱に用いられる場合もある。
【０１０７】
図８に示される第２システムＳ２では、ガスエンジン５０ａおよび第１冷媒圧縮機６０ａに換えて、モータ５０ｂおよび第２冷媒圧縮機６０ｂが配置される。それに伴い、ガスエンジン５０ａの排熱を利用するための冷却水管路等が省略され、代わりに熱媒管路１０２ｂおよび１０２ｃ等が配置されている。
【０１０８】
熱媒管路１０２ｂは、熱を輸送する熱媒が内部を流れる管路であって、蓄熱部１０１と第１冷媒加熱部５４ａとに接続して設けられている。熱媒管路１０２ｂには、蓄熱部１０１の出口から熱媒の通流方向に沿って順に、流量調整弁１０３ａと、三方切換弁１０３ｂと、第１冷媒加熱部５４ａと、循環ポンプ１０４とが設けられている。蓄熱部１０１にて加熱された熱媒は、循環ポンプ１０４の作用により熱媒管路１０２ｂを流れ、第１冷媒加熱部５４ａを通流する際に、冷媒管路６７を通流する冷媒に熱を与えて加熱する。
【０１０９】
熱媒管路１０２ｂの三方切換弁１０３ｂに、熱媒管路１０２ｃが接続されている。熱媒管路１０２ｃには、第２冷媒加熱部５４ｂが設けられている。熱媒管路１０２ｃは、第２冷媒加熱部５４ｂの下流側において、熱媒管路１０２ｂの第１冷媒加熱部５４ａと循環ポンプ１０４との間に接続されている。第２冷媒加熱部５４ｂを通流した熱媒は、冷媒管路６５を通流する冷媒に熱を与えて加熱する。三方切換弁１０３ｂがＯＦＦ状態では、熱媒は流量調整弁１０３ａから第１冷媒加熱部５４ａへと流れる。三方切換弁１０３ｂがＯＮ状態では、熱媒は三方切換弁１０３ｂから第２冷媒加熱部５４ｂへ流れる。
【０１１０】
〔第１システムＳ１の運転時の制御〕
次に、第１システムＳ１の運転時の制御について、図９を用いて説明する。なお、以下説明する第１システム運転時制御には、第１システムＳ１の起動時の処理も含まれている。
【０１１１】
＜ステップ＃３０１＞
第１システムＳ１の起動指示を受けると、制御装置９０は、まずガスエンジン５０ａの起動を指示する。この指示を受け、ガスエンジン５０ａが起動される。次いで制御装置９０は、ガスエンジン５０ａの冷却水の温度Ｔｗを確認する。冷却水温度Ｔｗが閾値Ｔｗ０よりも低い、すなわちＴｗ＜Ｔｗ０である場合（Ｙｅｓ）、＃３０２へ進む。冷却水温度Ｔｗが閾値Ｔｗ０以上である場合（Ｎｏ）、＃３０３へ進む。
【０１１２】
＜ステップ＃３０２：保護処理＞
当該処理は、上述の実施形態における＃１０４の保護処理と類似した処理である。すなわち制御装置９０は、三方切換弁５７ｃおよび７２をＯｎする。これにより冷却水は、第１冷媒加熱部５４ａに流入せず、三方切換弁５７ｃから冷却水管路５２ｂを通って第２冷媒加熱部５４ｂへと流入する。冷却水温度Ｔｗが閾値Ｔｗ０以上になると、制御装置９０は三方切換弁５７ｃおよび７２をＯＦＦし、保護処理を終了して＃３０３へ進む。
【０１１３】
＜ステップ＃３０３＞
制御装置９０は、現在の空気調和システム全体の状況が節電準備状況であるか否かを確認し、蓄熱部１０１の温度Ｔｓを確認する。節電準備状況とは、例えば空気調和システムに対して電力削減の要請（デマンドレスポンス）が出される等して、近い将来（例えば、３０分後）に消費電力を低下させることが予定されている状況をいう。なお、蓄熱部１０１も蓄熱部５８と同様に図示しない温度センサを有し、蓄熱部１０１の温度Ｔｓが制御装置９０へ報知される。制御装置９０は、節電準備状況であり、かつ、蓄熱部５８の温度Ｔｓが閾値Ｔｓ０よりも低い、すなわちＴｓ＜Ｔｓ０である場合（Ｙｅｓ）、＃３０４へ進む。節電準備状況ではない、および／または蓄熱部１０１の温度Ｔｓが閾値Ｔｓ０以上である場合（Ｎｏ）、＃３０５へ進む。
【０１１４】
＜ステップ＃３０４：蓄熱処理＞
当該処理は、上述の実施形態における＃２０９の蓄熱処理と類似した処理である。すなわち制御装置９０は、三方切換弁５７ａと５７ｂとをＯＮする。すると、冷却水が蓄熱部１０１に流入し、冷却水が有する熱（ガスエンジン５０ａの排熱）が蓄熱部１０１に蓄えられる。制御装置９０は、所定時間（例えば、５分間）が経過した時点で、三方切換弁５７ａと５７ｂとをＯＦＦし、蓄熱処理を終了する。そして＃３１４へ進み、＃３０１へ戻って運転時制御を継続する。
【０１１５】
空気調和システムが節電準備状況にある場合、近い将来に第２システムＳ２のモータ５０ｂの出力を低下させる可能性がある。その時に蓄熱部１０１に熱が十分に蓄えられていない場合には、第２システムＳ２において蓄熱部１０１の熱が利用できず、調温・調湿の性能が低下して使用者の空調要望に応えられない可能性がある。そこで空気調和システムでは、蓄熱部１０１の温度Ｔｓが閾値Ｔｓ０よりも低い、すなわち蓄熱部１０１に蓄えている熱の量が所定の閾値よりも少ない場合に、蓄熱処理としてガスエンジン５０ａの排熱を蓄熱部１０１に蓄える。上述の蓄熱処理を行うことにより、将来の節電に先立って蓄熱部１０１に熱を蓄えることができ、蓄熱部１０１の熱が不足して冷媒を加熱できない事態を回避して、空気調和システムの効率を高く保つことができる。すなわち、空気調和システムのエネルギー効率をさらに高めることができる。
【０１１６】
＜ステップ＃３０５＞
制御装置９０は、第１システムＳ１の起動からの経過時間を確認し、圧縮式ヒートポンプ装置５にて暖房運転を実行中か否かを確認し、外気温Ｔｏを確認する。起動から１０分以内であり、かつ暖房運転の実行中であり、かつ外気温Ｔｏが閾値Ｔｏ０よりも低い、すなわちＴｏ＜Ｔｏ０である場合（Ｙｅｓ）、＃３０６へ進む。起動から１０分を超えており、および／または暖房運転を実行しておらず、および／または外気温Ｔｏが閾値Ｔｏ０以上である場合（Ｎｏ）、＃３０７へ進む。
【０１１７】
＜ステップ＃３０６：第３調温補助処理＞
当該処理は、上述の実施形態における＃１０６の第１調温補助処理と類似した処理である。すなわち制御装置９０は、三方切換弁５７ｃを１０分間ＯＮする。これにより冷却水は、第１冷媒加熱部５４ａに流入せず、三方切換弁５７ｃから冷却水管路５２ｂを通って第２冷媒加熱部５４ｂへと流入する。そうすると、冷媒管路６５を流れる冷媒が、第２冷媒加熱部５４ｂにおいて高温の冷却水により加熱され、温度が上昇した状態で第１冷媒圧縮機６０ａへ流入することになる。１０分間経過して第３調温補助処理を終了すると、＃３１４へ進み、＃３０１へ戻って運転時制御を継続する。
【０１１８】
＜ステップ＃３０７＞
制御装置９０は、吸着式調湿装置１が調湿運転を実行中か否かを確認する。調湿運転を実行中の場合は（Ｙｅｓ）、＃３０８へ進む。調湿運転を実行中でない場合は（Ｎｏ）、＃３０９へ進む。
【０１１９】
＜ステップ＃３０８：第３調湿補助処理＞
当該処理は、上述の実施形態における＃２０５の第１調湿補助処理と類似した処理である。すなわち制御装置９０は、三方切換弁５７ａ、５７ｂ、５７ｃおよび５７ｄをＯＦＦに保ち、冷却水を第１冷媒加熱部５４ａに通流させる。これにより、冷媒管路６７を流れて吸着式調湿装置１へ供給される冷媒が、ガスエンジン５０ａの排熱により加熱される。所定時間（例えば、５分間）が経過した時点で、＃３１４へ進み、＃３０１へ戻って運転時制御を継続する。
【０１２０】
＜ステップ＃３０９＞
制御装置９０は、圧縮式ヒートポンプ装置５が暖房運転を実行中か否かを確認する。暖房運転を実行中の場合は（Ｙｅｓ）、＃３１０へ進む。暖房運転を実行中でない場合は（Ｎｏ）、＃３１１へ進む。
【０１２１】
＜ステップ＃３１０：第３調温補助処理＞
当該処理は、上述の実施形態における＃２０７の第１調温補助処理と類似した処理である。すなわち制御装置９０は、三方切換弁５７ｃを所定時間（例えば、５分間）ＯＮする。これにより冷却水は、第１冷媒加熱部５４ａに流入せず、三方切換弁５７ｃから冷却水管路５２ｂを通って第２冷媒加熱部５４ｂへと流入する。そうすると、冷媒管路６５を流れる冷媒が、第２冷媒加熱部５４ｂにおいて高温の冷却水により加熱され、温度が上昇した状態で第１冷媒圧縮機６０ａへ流入することになる。所定時間が経過して第３調温補助処理を終了すると、＃３１４へ進み、＃３０１へ戻って運転時制御を継続する。
【０１２２】
＜ステップ＃３１１＞
制御装置９０は、蓄熱部１０１の温度Ｔｓを確認する。蓄熱部１０１の温度Ｔｓが閾値Ｔｓ０よりも低い、すなわちＴｓ＜Ｔｓ０である場合（Ｙｅｓ）、＃３１２へ進む。蓄熱部１０１の温度Ｔｓが閾値Ｔｓ０以上である（Ｎｏ）場合、＃３１３へ進む。
【０１２３】
＜ステップ＃３１２：蓄熱処理＞
制御装置９０は、三方切換弁５７ａと５７ｂとをＯＮする。すると、冷却水が蓄熱部１０１に流入し、冷却水が有する熱（ガスエンジン５０ａの排熱）が蓄熱部１０１に蓄えられる。制御装置９０は、所定時間（例えば、５分間）が経過した時点で、三方切換弁５７ａと５７ｂとをＯＦＦし、蓄熱処理を終了する。そして＃３１４へ進み、＃３０１へ戻って運転時制御を継続する。すなわち空気調和システムでは、蓄熱部１０１の温度Ｔｓが閾値Ｔｓ０よりも低い、すなわち蓄熱部１０１に蓄えている熱の量が所定の閾値よりも少ない場合に、蓄熱処理としてガスエンジン５０ａの排熱を蓄熱部１０１に蓄える。
【０１２４】
＜ステップ＃３１３：系外排熱処理＞
当該処理は、上述の実施形態における＃２１０の系外排熱処理と類似した処理である。すなわち制御装置９０は、三方切換弁５７ｄをＯＮする。すると、冷却水が三方切換弁５７ｃからラジエータ５５へ流れる。すると、高温の冷却水がラジエータ５５で熱を失って冷却され、ガスエンジン５０ａの水冷ジャケットに戻される。冷却水からの熱は、室外機５ｏの外へ排出される。そして＃３１４へ進み、＃３０１へ戻って運転時制御を継続する。
【０１２５】
〔第２システムＳ２の運転時の制御〕
次に、第２システムＳ２の運転時の制御について、図１０を用いて説明する。なお、以下説明する第２システム運転時制御には、第２システムＳ２の起動時の処理も含まれている。
【０１２６】
＜ステップ＃４０１＞
第２システムＳ２の起動指示を受けると、制御装置９０は、まずモータ５０ｂの起動を指示する。この指示を受けモータ５０ｂが起動される。次いで制御装置９０は、蓄熱部１０１の温度Ｔｓを確認する。蓄熱部１０１の温度Ｔｓが閾値Ｔｓ０よりも低い、すなわちＴｓ＜Ｔｓ０である場合（Ｙｅｓ）、＃４０２へ進む。蓄熱部１０１の温度Ｔｓが閾値Ｔｓ０以上である（Ｎｏ）場合、＃４０３へ進む。
【０１２７】
＜ステップ＃４０３＞
制御装置９０は、第２システムＳ２の起動からの経過時間を確認し、圧縮式ヒートポンプ装置５にて暖房運転を実行中か否かを確認し、外気温Ｔｏを確認する。起動から１０分以内であり、かつ暖房運転の実行中であり、かつ外気温Ｔｏが閾値Ｔｏ０よりも低い、すなわちＴｏ＜Ｔｏ０である場合（Ｙｅｓ）、＃４０４へ進む。起動から１０分を超えており、および／または暖房運転を実行しておらず、および／または外気温Ｔｏが閾値Ｔｏ０以上である場合（Ｎｏ）、＃４０５へ進む。
【０１２８】
＜ステップ＃４０４：第４調温補助処理＞
制御装置９０は、循環ポンプ１０４を起動し、流量調整弁１０３ａを開いて熱媒の流量を調整し、三方切換弁１０３ｂをＯＮする。これにより、蓄熱部１０１で加熱された熱媒は、第２冷媒加熱部５４ｂへと流入する。そうすると、冷媒管路６５を流れる冷媒が、第２冷媒加熱部５４ｂにおいて高温の熱媒により加熱され、温度が上昇した状態で第２冷媒圧縮機６０ｂへ流入することになる。１０分間経過して第４調温補助処理を終了すると、＃４０９へ進み、＃４０１へ戻って運転時制御を継続する。
【０１２９】
上述した第４調温補助処理により、ガスエンジン５０ａを有しない第２システムＳ２においても、蓄熱部１０１に蓄えられた熱すなわち第１システムＳ１のガスエンジン５０ａの排熱を利用して、第２冷媒圧縮機６０ｂへ流入する冷媒の温度を速やかに上昇させることができ、第２室内Ｒ２の調温（暖房）を早期に実現できる。すなわち、空気調和システムの利便性をさらに高めることができる。
【０１３０】
＜ステップ＃４０５＞
制御装置９０は、吸着式調湿装置１が調湿運転を実行中か否かを確認する。調湿運転を実行中の場合は（Ｙｅｓ）、＃４０６へ進む。調湿運転を実行中でない場合は（Ｎｏ）、＃４０７へ進む。
【０１３１】
＜ステップ＃４０６：第４調湿補助処理＞
制御装置９０は、循環ポンプ１０４を起動し、流量調整弁１０３ａを開いて熱媒の流量を調整する。これにより、蓄熱部１０１で加熱された熱媒は、第１冷媒加熱部５４ａへと流入する。そうすると、冷媒管路６７を流れて吸着式調湿装置１へ供給される冷媒が、高温の熱媒により加熱される。所定時間（例えば、５分間）が経過した時点で、＃４０９へ進み、＃４０１に戻って運転を継続する。
【０１３２】
上述した第４調湿補助処理により、ガスエンジン５０ａを有しない第２システムＳ２においても、蓄熱部１０１に蓄えられた熱すなわち第１システムＳ１のガスエンジン５０ａの排熱を利用して、吸着式調湿装置１へ供給される冷媒を加熱することができ、空気調和システムのエネルギー効率を高めることができる。
【０１３３】
＜ステップ＃４０７＞
制御装置９０は、圧縮式ヒートポンプ装置５が暖房運転を実行中か否かを確認する。暖房運転を実行中の場合は（Ｙｅｓ）、＃４０８へ進む。暖房運転を実行中でない場合は（Ｎｏ）、＃４０９へ進み、＃４０１に戻って運転を継続する。
【０１３４】
＜ステップ＃４０８：第４調温補助処理＞
当該処理は、上述の＃４０４と同様の処理である。すなわち制御装置９０は、循環ポンプ１０４を起動し、流量調整弁１０３ａを開いて熱媒の流量を調整し、三方切換弁１０３ｂをＯＮする。これにより、蓄熱部１０１で加熱された熱媒は、第２冷媒加熱部５４ｂへと流入する。そうすると、冷媒管路６５を流れる冷媒が、第２冷媒加熱部５４ｂにおいて高温の熱媒により加熱され、温度が上昇した状態で第２冷媒圧縮機６０ｂへ流入することになる。所定の時間（例えば、５分）経過して第４調温補助処理を終了すると、＃４０９へ進み、＃４０１へ戻って運転時制御を継続する。
【０１３５】
＜他の実施形態＞
（１）上述の実施形態では、蓄熱部５８および蓄熱部１０１に蓄熱されているか否かの判断のため、閾値Ｔｓ０が用いられた。閾値Ｔｓ０は、予め決められた所定の値とされたが、冷却水の温度に応じて変化する値としてもよい。例えば、冷却水の温度Ｔｗより５℃高い温度としてもよい。これにより、冷却水の温度が変動した場合でも、蓄熱部の温度は冷却水の温度より高く保たれることとなり、より適切に蓄熱部にガスエンジン５０ａの排熱を蓄熱でき、熱が必要な事態に備えることができる。また閾値Ｔｓ０は、季節に応じて変更してもよい。例えば、冬期における閾値Ｔｓ０を、夏期における値より５℃高い温度としてもよい。
【０１３６】
（２）上述の実施形態では、蓄熱処理（例えば＃２０３）や調温補助処理（例えば＃２０７）、調湿補助処理（例えば＃２０５）は、所定時間が経過した時点で終了するように構成していた。これを、時間以外の条件を満たした時点で終了するように構成してもよい。例えば蓄熱処理を、蓄熱部の温度が閾値Ｔｓ０を上回った時点で終了するように構成してもよい。例えば調温補助処理を、冷媒の温度が上昇して所定温度を上回った時点で終了するように構成してもよい。例えば調湿補助処理を、室内の湿度が目標値に到達した時点で終了するように構成してもよい。
【０１３７】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３８】
１        ：吸着式調湿装置
５        ：圧縮式ヒートポンプ装置
１０ａ    ：吸着材
１１      ：第１吸着熱交換器
１２      ：第２吸着熱交換器
１２      ：吸着熱交換器
１３ｉ    ：第１通路
１３ｏ    ：第１通路
１４ｉ    ：第２通路
１４ｏ    ：第２通路
３０      ：第２膨張弁
５０ａ    ：ガスエンジン
５０ｂ    ：モータ
５４ａ    ：第１冷媒加熱部
５４ｂ    ：第２冷媒加熱部
５８      ：蓄熱部
６０ａ    ：第１冷媒圧縮機
６０ｂ    ：第２冷媒圧縮機
６６      ：第１膨張弁
９１      ：吸湿再生切替手段
９２      ：冷暖房切替手段
１０１    ：蓄熱部
Ｃ        ：冷媒圧縮部
ＣＡ      ：冷却対象空間
ＣＥ      ：空気冷却部
ＣＯ      ：凝縮部
ＤＬ      ：除湿通路
ＥＶ      ：蒸発部
ＨＡ      ：加熱対象空間
ＨＥ      ：空気加熱部
ＨＰ１    ：第１高圧側冷媒管路
ＨＰ２    ：第２高圧側冷媒管路
ＬＰ１    ：第１低圧側冷媒管路
ＬＰ２    ：第２低圧側冷媒管路
Ｏ        ：室外
Ｒ        ：室内
Ｒ１      ：第１室内
Ｒ２      ：第２室内
Ｓ１      ：第１システム
Ｓ２      ：第２システム
ＷＬ      ：加湿通路
【図１】
2017009174.tif 000003
【図２】
2017009174.tif 000004
【図３】
2017009174.tif 000005
【図４】
2017009174.tif 000006
【図５】
2017009174.tif 000007
【図６】
2017009174.tif 000008
【図７】
2017009174.tif 000009
【図８】
2017009174.tif 000010
【図９】
2017009174.tif 000011
【図１０】
2017009174.tif 000012